(57)【要約】【課題】住居内におけるネットワークに接続された各電気機器のレイアウト情報を生成する際のユーザの負担を軽減するレイアウト情報生成システム、レイアウト情報生成装置、端末装置、レイアウト情報生成方法およびプログラムを提供する。【解決手段】電力分配情報記憶部１３１は、複数の分岐線を識別する分岐線識別情報を部屋識別情報に対応づけて記憶する。特定部１１２は、選択部１１１により選択された分岐線に介挿された開閉器が開状態の場合と閉状態の場合とにおいてネットワークを介して取得可能な機器情報に基づいて、選択された分岐線により電力が供給される電気機器４を特定する。登録部１１３は、電力分配情報記憶部１３１から分岐線による電力供給先の部屋の部屋識別情報を取得し、特定された電気機器４のＭＡＣアドレス情報を、取得した部屋識別情報に対応づけてレイアウト情報記憶部１３２に記憶させる。【選択図】図３
2019204179.tif 000002
【特許請求の範囲】
【請求項１】
少なくとも１つの部屋と、系統電源から供給される電力を前記少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示すレイアウト情報を生成するレイアウト情報生成システムであって、
前記少なくとも１つの分岐線を識別する分岐線識別情報を、前記少なくとも１つの分岐線による電力供給先の部屋を識別する部屋識別情報に対応づけて記憶する電力分配情報記憶部と、
前記電気機器に固有の機器情報を、前記電気機器が配置された部屋の部屋識別情報に対応づけて記憶するレイアウト情報記憶部と、
前記少なくとも１つの分岐線の中から分岐線を選択する選択部と、
前記選択部により選択された分岐線に介挿された開閉器が開状態の場合と閉状態の場合とにおいて前記ネットワークを介して取得可能な機器情報に基づいて、前記選択された分岐線により電力が供給される電気機器を特定する特定部と、
前記電力分配情報記憶部から、前記選択された分岐線による電力供給先の部屋の部屋識別情報を取得し、前記特定部により特定された電気機器の機器情報を、取得した部屋識別情報に対応づけて前記レイアウト情報記憶部に記憶させる登録部と、を備える、
レイアウト情報生成システム。
【請求項２】
前記特定部は、前記選択された分岐線に介挿された開閉器が開状態の場合、前記ネットワークに接続された電気機器に対して応答要求情報を送信したときに、応答情報が返信されない電気機器を特定する、
請求項１に記載のレイアウト情報生成システム。
【請求項３】
前記特定部は、前記選択された分岐線に介挿された開閉器が開状態から閉状態へ切り替わったときに、前記ネットワークを介して接続要求情報を送信する電気機器を特定する、
請求項１に記載のレイアウト情報生成システム。
【請求項４】
前記登録部は、前記選択された分岐線に介挿された開閉器が開状態から閉状態に切り替わった後、前記特定部により特定された電気機器から前記ネットワークを介して前記特定された電気機器の機器情報を取得する、
請求項２または３に記載のレイアウト情報生成システム。
【請求項５】
前記選択された分岐線に介挿された開閉器を閉状態から開状態にするための操作を行うようユーザに促す第１メッセージ情報と、前記選択された分岐線に介挿された開閉器を開状態から閉状態にするための操作を行うようユーザに促す第２メッセージ情報と、を記憶するメッセージ記憶部と、
前記選択された分岐線に介挿された開閉器を閉状態から開状態にするための操作を行うようユーザに指令するための遮断指令情報または前記選択された分岐線に介挿された開閉器を開状態から閉状態にするための操作を行うようユーザに指令するための通電指令情報を生成する情報生成部と、
前記情報生成部により前記遮断指令情報が生成されると前記第１メッセージ情報をユーザに通知し、前記情報生成部により前記通電指令情報が生成されると前記第２メッセージをユーザに通知するメッセージ通知部と、を更に備える、
請求項１から４のいずれか１項に記載のレイアウト情報生成システム。
【請求項６】
外部から受信した前記開閉器を開状態にするよう指令する遮断指令情報または前記開閉器を閉状態にするよう指令する通電指令情報に基づいて前記開閉器を駆動する開閉器駆動装置と、
前記開閉器駆動装置へ前記遮断指令情報または前記通電指令情報を送信することにより、前記選択部により選択された分岐線に介挿された開閉器の開閉状態を制御する開閉器制御部と、を更に備える、
請求項１から４のいずれか１項に記載のレイアウト情報生成システム。
【請求項７】
前記少なくとも１つの分岐線それぞれを介して部屋へ供給される電力量を計測する電力計測装置を更に備え、
前記特定部は、前記電力計測装置により計測される、前記選択された分岐線を介して供給される電力量に基づいて、前記選択された分岐線に介挿された開閉器が開状態であるか閉状態であるかを判定する、
請求項１から６のいずれか１項に記載のレイアウト情報生成システム。
【請求項８】
表示部と、
前記建物内における部屋の配置を示す間取り情報を記憶する間取り情報記憶部と、
前記建物と前記建物内の部屋とを示す間取り画像を含む操作画面画像を記憶する操作画面記憶部と、
前記電気機器のマーク画像を示すマーク画像情報を、前記機器情報に対応づけて記憶するマーク画像記憶部と、
前記間取り情報記憶部から前記間取り情報を取得し、取得した間取り情報に基づいて、前記操作画面画像を生成して前記操作画面記憶部に記憶させる操作画面生成部と、
前記レイアウト情報記憶部から前記機器情報および前記部屋識別情報を取得するとともに、前記操作画面記憶部から前記間取り画像を取得し、前記部屋識別情報および前記機器情報に基づいて、前記マーク画像記憶部から前記間取り画像における各部屋に対応する位置に表示されるべきマーク画像を特定し、特定したマーク画像を前記間取り画像における各部屋に対応する位置に合成した間取り画像を前記表示部に表示させる表示制御部と、を更に備える、
請求項１から７のいずれか１項に記載のレイアウト情報生成システム。
【請求項９】
少なくとも１つの部屋と、系統電源から供給される電力を前記少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示すレイアウト情報を生成するレイアウト情報生成装置であって、
前記少なくとも１つの分岐線を識別する分岐線識別情報を、前記少なくとも１つの分岐線による電力供給先の部屋を識別する部屋識別情報に対応づけて記憶する電力分配情報記憶部と、
前記電気機器に固有の機器情報を、前記電気機器が配置された部屋の部屋識別情報に対応づけて記憶するレイアウト情報記憶部と、
前記少なくとも１つの分岐線の中から分岐線を選択する選択部と、
前記選択部により選択された分岐線に介挿された開閉器が開状態の場合と閉状態の場合とにおいて前記ネットワークを介して取得可能な機器情報に基づいて、前記選択された分岐線により電力が供給される電気機器を特定する特定部と、
前記電力分配情報記憶部から、前記選択された分岐線による電力供給先の部屋の部屋識別情報を取得し、前記特定部により特定された電気機器の機器情報を、取得した部屋識別情報に対応づけて前記レイアウト情報記憶部に記憶させる登録部と、を備える、
レイアウト情報生成装置。
【請求項１０】
少なくとも１つの部屋と、系統電源から供給される電力を前記少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示す間取り画像を表示する端末装置であって、
表示部と、
前記建物内における部屋の配置を示す間取り情報を記憶する間取り情報記憶部と、
前記建物と前記建物内の部屋とを示す間取り画像を含む操作画面画像を記憶する操作画面記憶部と、
前記電気機器のマーク画像を示すマーク画像情報を、前記電気機器に固有の機器情報に対応づけて記憶するマーク画像記憶部と、
前記間取り情報記憶部から前記間取り情報を取得し、取得した間取り情報に基づいて、前記操作画面画像を生成して前記操作画面記憶部に記憶させる操作画面生成部と、
前記機器情報を前記電気機器が配置された部屋の部屋識別情報に対応づけて記憶するレイアウト情報記憶部から前記機器情報および前記部屋識別情報を取得するとともに、前記操作画面記憶部から前記間取り画像を取得し、前記部屋識別情報および前記機器情報に基づいて、前記マーク画像記憶部から前記間取り画像における各部屋に対応する位置に表示されるべきマーク画像を特定し、特定したマーク画像を前記間取り画像における各部屋に対応する位置に合成した間取り画像を前記表示部に表示させる表示制御部と、を備える、
端末装置。
【請求項１１】
少なくとも１つの部屋と、系統電源から供給される電力を前記少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示すレイアウト情報を生成するレイアウト情報生成方法であって、
前記少なくとも１つの分岐線を識別する分岐線識別情報を、前記少なくとも１つの分岐線による電力供給先の部屋を識別する部屋識別情報に対応づけて電力分配情報記憶部に記憶させるステップと、
前記電気機器に固有の機器情報を、前記電気機器が配置された部屋の部屋識別情報に対応づけてレイアウト情報記憶部に記憶させるステップと、
前記少なくとも１つの分岐線の中から分岐線を選択するステップと、
選択された分岐線に介挿された開閉器が開状態の場合と閉状態の場合とにおいて前記ネットワークを介して取得可能な機器情報に基づいて、前記選択された分岐線により電力が供給される電気機器を特定するステップと、
前記電力分配情報記憶部から、前記選択された分岐線による電力供給先の部屋の部屋識別情報を取得し、特定された電気機器の機器情報を、取得した部屋識別情報に対応づけて前記レイアウト情報記憶部に記憶させるステップと、を含む、
レイアウト情報生成方法。
【請求項１２】
コンピュータを、
系統電源から供給される電力を建物の少なくとも１つの部屋それぞれへ分配するための少なくとも１つの分岐線の中から分岐線を選択する選択部、
前記選択部により選択された分岐線に介挿された開閉器が開状態の場合と閉状態の場合とにおいてネットワークを介して取得可能な機器情報に基づいて、前記選択された分岐線により電力が供給される電気機器を特定する特定部、
前記少なくとも１つの分岐線を識別する分岐線識別情報を、前記少なくとも１つの分岐線による電力供給先の部屋を識別する部屋識別情報に対応づけて記憶する電力分配情報記憶部から、前記選択された分岐線による電力供給先の部屋の部屋識別情報を取得し、前記特定部により特定された電気機器に固有の機器情報を、取得した部屋識別情報に対応づけてレイアウト情報記憶部に記憶させる登録部、
として機能させるためのプログラム。
【発明の詳細な説明】
【技術分野】
【０００１】
本発明は、レイアウト情報生成システム、レイアウト情報生成装置、端末装置、レイアウト情報生成方法およびプログラムに関する。
【背景技術】
【０００２】
住居内のネットワークに接続されたエアコン、照明機器、テレビ、炊飯器、ＩＨ調理器、除湿機等の各電気機器について、住居の部屋割りと各部屋に配置された電気機器の構成とをユーザに直観的に認識させるためのレイアウト情報を生成するレイアウト生成システムが提案されている（例えば特許文献１参照）。
【０００３】
このレイアウト生成システムでは、ユーザにより住居の部屋割りを示す間取り情報が端末装置へ入力されると、端末装置が入力された間取り情報に基づいてその表示画面に住居内の部屋割りを示す複数の枠画像を含む間取り図画像を表示する。また、端末装置は、ネットワークに接続された電気機器の機器情報を、ネットワークを介して取得し、取得した機器情報に基づいて、ネットワークに接続された電気機器を示すマーク画像をその表示画面に表示する。そして、ユーザが、表示画面に表示された住居内の部屋割りを示す画面を見ながら、各電気機器のマーク画像を間取り図画像上における各電気機器が配置される部屋に対応する枠画像内へ配置する操作を行うことにより、レイアウト情報が生成される。
【先行技術文献】
【特許文献】
【０００４】
【特許文献１】特許５４７２３８号公報
【発明の概要】
【発明が解決しようとする課題】
【０００５】
しかしながら、特許文献１に記載されたレイアウト生成システムでは、ユーザが住居内の各部屋を回って各部屋に配置されている電気機器を確認し、確認した電気機器のマーク画像を間取り図画像上におけるその電気機器が配置される部屋に対応する枠画像内へ配置する操作を繰り返す必要がある。このため、レイアウト情報の生成を完了するまでに要する時間が長くなる虞がある。
【０００６】
本発明は、上記事由に鑑みてなされたものであり、建物内におけるネットワークに接続された各電気機器のレイアウト情報を生成する際のユーザの負担を軽減するレイアウト情報生成システム、レイアウト情報生成装置、端末装置、レイアウト情報生成方法およびプログラムを提供することを目的とする。
【課題を解決するための手段】
【０００７】
上記目的を達成するために、本発明に係るレイアウト情報生成システムは、
少なくとも１つの部屋と、系統電源から供給される電力を前記少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示すレイアウト情報を生成するレイアウト情報生成システムであって、
前記少なくとも１つの分岐線を識別する分岐線識別情報を、前記少なくとも１つの分岐線による電力供給先の部屋を識別する部屋識別情報に対応づけて記憶する電力分配情報記憶部と、
前記電気機器に固有の機器情報を、前記電気機器が配置された部屋の部屋識別情報に対応づけて記憶するレイアウト情報記憶部と、
前記少なくとも１つの分岐線の中から分岐線を選択する選択部と、
前記選択部により選択された分岐線に介挿された開閉器が開状態の場合と閉状態の場合とにおいて前記ネットワークを介して取得可能な機器情報に基づいて、前記選択された分岐線により電力が供給される電気機器を特定する特定部と、
前記電力分配情報記憶部から、前記選択された分岐線による電力供給先の部屋の部屋識別情報を取得し、前記特定部により特定された電気機器の機器情報を、取得した部屋識別情報に対応づけて前記レイアウト情報記憶部に記憶させる登録部と、を備える。
【発明の効果】
【０００８】
本発明によれば、選択部が、少なくとも１つの分岐線を選択し、特定部が、選択した分岐線に介挿された開閉器が開状態の場合および閉状態の場合にネットワークを介して取得可能な機器情報に基づいて、選択部により選択された分岐線により電力が供給される電気機器を特定する。そして、登録部が、電力分配情報記憶部から、選択された分岐線による電力供給先の部屋の部屋識別情報を取得し、特定部により特定された電気機器の機器情報を、取得した部屋識別情報に対応づけてレイアウト情報記憶部に記憶させる。これにより、ユーザは、分電盤の開閉器の操作を行うだけで建物内におけるネットワークに接続された各電気機器のレイアウト情報を得ることができるので、レイアウト情報を生成する際のユーザの負担が軽減される。
【図面の簡単な説明】
【０００９】
【図１】実施の形態に係るレイアウト情報生成システムの一例を示す概略図
【図２】実施の形態に係る分電盤の一例を示す図
【図３】実施の形態に係るレイアウト情報生成装置の構成を示すブロック図
【図４】（Ａ）は実施の形態に係る電力分配情報記憶部が記憶する情報の一例を示す図、（Ｂ）は実施の形態に係るレイアウト情報記憶部が記憶する情報の一例を示す図
【図５】（Ａ）は実施の形態に係る間取り情報記憶部が記憶する情報の一例を示す図、（Ｂ）は実施の形態に係るマーク画像記憶部が記憶する情報の一例を示す図
【図６】実施の形態に係る端末装置の構成を示すブロック図
【図７】実施の形態に係るレイアウト情報生成システム全体の動作の一例を示すシーケンス図
【図８】（Ａ）は実施の形態に係る端末装置の操作画面の一例を示す図、（Ｂ）は実施の形態に係る端末装置の他の操作画面の一例を示す図
【図９】（Ａ）は実施の形態に係る端末装置の操作画面の一例を示す図、（Ｂ）は実施の形態に係る端末装置の他の操作画面の一例を示す図
【図１０】（Ａ）は実施の形態に係る端末装置の操作画面の一例を示す図、（Ｂ）は実施の形態に係る端末装置の他の操作画面の一例を示す図
【図１１】（Ａ）は実施の形態に係る端末装置の操作画面の一例を示す図、（Ｂ）は実施の形態に係る端末装置の他の操作画面の一例を示す図
【図１２】（Ａ）は実施の形態に係る端末装置の操作画面の一例を示す図、（Ｂ）は実施の形態に係る端末装置の他の操作画面の一例を示す図
【図１３】（Ａ）は実施の形態に係る端末装置の操作画面の一例を示す図、（Ｂ）は実施の形態に係る端末装置の他の操作画面の一例を示す図
【図１４】（Ａ）は実施の形態に係る端末装置の操作画面の一例を示す図、（Ｂ）は実施の形態に係る端末装置の他の操作画面の一例を示す図
【図１５】実施の形態に係るレイアウト情報生成システム全体の動作の一例を示すシーケンス図
【図１６】（Ａ）は実施の形態に係る端末装置の操作画面の一例を示す図、（Ｂ）は実施の形態に係る端末装置の他の操作画面の一例を示す図
【図１７】（Ａ）は実施の形態に係る端末装置の操作画面の一例を示す図、（Ｂ）は実施の形態に係る端末装置の他の操作画面の一例を示す図
【図１８】実施の形態に係るレイアウト情報生成システム全体の動作の一例を示すシーケンス図
【図１９】（Ａ）は実施の形態に係る端末装置の操作画面の一例を示す図、（Ｂ）は実施の形態に係る端末装置の他の操作画面の一例を示す図
【図２０】実施の形態に係るレイアウト情報生成装置が実行するレイアウト情報生成処理の流れの一例を示すフローチャート
【図２１】実施の形態に係るレイアウト情報生成装置が実行するレイアウト情報生成処理の流れの一例を示すフローチャート
【図２２】変形例に係る分電盤の一例を示す図
【図２３】変形例に係るレイアウト情報生成装置の構成を示すブロック図
【図２４】変形例に係るレイアウト情報生成システム全体の動作の一例を示すシーケンス図
【図２５】（Ａ）は変形例に係る端末装置の操作画面の一例を示す図、（Ｂ）は変形例に係る端末装置の他の操作画面の一例を示す図
【図２６】変形例に係るレイアウト情報生成システム全体の動作の一例を示すシーケンス図
【図２７】変形例に係るレイアウト情報生成装置が実行するレイアウト情報生成処理の流れの一例を示すフローチャート
【図２８】変形例に係るレイアウト情報生成システム全体の動作の一例を示すシーケンス図
【図２９】変形例に係るレイアウト情報生成装置が実行するレイアウト情報生成処理の流れの一例を示すフローチャート
【発明を実施するための形態】
【００１０】
以下、本発明の実施の形態に係るレイアウト情報生成システムについて、添付図面を参照しながら説明する。本実施の形態に係るレイアウト情報生成システムは、例えば住居内に配置された各電気機器の電力量を、ネットワークを介して監視したり、各電気機器の動作を、ネットワークを介して制御したりするエネルギマネジメントシステムの一機能として実現される。レイアウト情報生成システムは、このようなエネルギマネジメントシステムにおいて要求される各電気機器の住居内におけるレイアウトを示すレイアウト情報を生成するものである。
【００１１】
本実施の形態に係るレイアウト情報生成システムは、少なくとも１つの部屋と、系統電源から供給される電力を少なくとも１つの部屋それぞれへ分配するための少なくとも１つの分岐線および前記少なくとも１つの分岐線に介挿された開閉器を有する分電盤と、を備える建物内における、ネットワークに接続された電気機器の位置を示すレイアウト情報を生成する。このレイアウト情報生成システムは、電力分配情報記憶部とレイアウト情報記憶部と選択部と特定部と登録部とを備える。電力分配情報記憶部は、少なくとも１つの分岐線を識別する分岐線識別情報を、少なくとも１つの分岐線による電力供給先の部屋を識別する部屋識別情報に対応づけて記憶する。レイアウト情報記憶部は、電気機器に固有の機器情報を、電気機器が配置された部屋の部屋識別情報に対応づけて記憶する。選択部は、少なくとも１つの分岐線の中から分岐線を選択する。特定部は、選択部により選択された分岐線に介挿された開閉器が開状態の場合と閉状態の場合とにおいてネットワークを介して取得可能な機器情報に基づいて、選択された分岐線により電力が供給される電気機器を特定する。登録部は、電力分配情報記憶部から、選択された分岐線による電力供給先の部屋の部屋識別情報を取得し、特定部により特定された電気機器の機器情報を、取得した部屋識別情報に対応づけてレイアウト情報記憶部に記憶させる。
【００１２】
本実施の形態に係るレイアウト情報生成システムは、例えば図１に示すように、系統電源ＡＣから供給される電力を複数の部屋Ｒ１、Ｒ２、Ｒ３、Ｒ４、Ｒ５それぞれへ分配するための分岐線Ｂ１〜Ｂ１２、Ｂ１７および分電盤５が設置された住居Ｈに設けられる。ここで、分岐線Ｂ１〜Ｂ１２は、各部屋Ｒ１、Ｒ２、Ｒ３、Ｒ４、Ｒ５に設置されたコンセントｔｅ１１〜ｔｅ１７、ｔｅ２１〜ｔｅ２５に接続されている。また、各部屋Ｒ１、Ｒ２、Ｒ３、Ｒ４、Ｒ５に設置された電気機器４は、各部屋Ｒ１、Ｒ２、Ｒ３、Ｒ４、Ｒ５に設置されたコンセントｔｅに接続されている。更に、分岐線Ｂ１７は、屋外機器７に接続されている。分電盤５は、例えば図２に示すように、系統電源に接続された主幹線ＰＬ１から供給される電力を各分岐線Ｂ１〜Ｂ１２、Ｂ１５、Ｂ１７へ分配する。分電盤５は、主幹線ＰＬ１に介挿された開閉器ＳＷ１と、複数の分岐線Ｂ１〜Ｂ１２、Ｂ１５、Ｂ１７それぞれに介挿された開閉器ＳＷ１、ＳＷ２１〜ＳＷ２７、ＳＷ３１〜ＳＷ３５、ＳＷ４１、ＳＷ４２と、を有する。ここで、例えば開閉器ＳＷ２６を開状態にすると、１階の部屋Ｒ１（１Ｆリビングルーム）に設置されたコンセントｔｅ１６に接続されている電気機器４への給電が停止する。
【００１３】
図１に戻って、このレイアウト情報生成システムは、レイアウト情報生成装置１と、端末装置２と、電力計測装置６と、を備える。レイアウト情報生成装置１は、住居Ｈ内に配置された電気機器４および電力計測装置６と屋外機器７と、ネットワークＮＴを介して通信可能となっている。また、レイアウト情報生成装置１は、端末装置２と無線通信可能である。
【００１４】
電力計測装置６は、複数の分岐線Ｂ１〜Ｂ１２、Ｂ１５、Ｂ１７それぞれを介して部屋Ｒ１、Ｒ２、Ｒ３、Ｒ４、Ｒ５へ供給される電力量を計測する。電力計測装置６は、例えば図２に示すように、主幹線ＰＬ１および分岐線Ｂ１〜Ｂ１２、Ｂ１５、Ｂ１７における開閉器ＳＷ１、ＳＷ２１〜ＳＷ２７、ＳＷ３１〜ＳＷ３５、ＳＷ４１、ＳＷ４２の下流側の電力量を計測するためのカレントプローブＰＲを有する。そして、電力計測装置６は、カレントプローブＰＲから入力される電流の電流値に基づいて、主幹線ＰＬ１および分岐線Ｂ１〜Ｂ１２、Ｂ１５、Ｂ１７を介して供給される電力量を計測する。
【００１５】
レイアウト情報生成装置１は、図３に示すように、ＣＰＵ（Central Processing Unit）１０１と主記憶部１０２と補助記憶部１０３とネットワーク通信部１０６と端末通信部１０７と各部を相互に接続するバス１０９とを有する。主記憶部１０２は、揮発性メモリであり、ＣＰＵ１０１の作業領域として用いられる。補助記憶部１０３は、磁気ディスク、半導体フラッシュメモリ等の不揮発性メモリであり、レイアウト情報生成装置１の各種機能を実現するためのプログラムを記憶する。ネットワーク通信部１０６は、ネットワークＮＴに接続され、ネットワークＮＴを介して電気機器４および電力計測装置６と通信する。端末通信部１０７は、無線モジュールを有し、端末装置２と無線通信する。このレイアウト情報生成装置１は、ブロードバンドルータとして機能しインターネットに接続可能なものであってもよい。レイアウト情報生成装置１は、ＩＰ（Internet Protocol）アドレスを管理し、ネットワークＮＴに接続された各電気機器４にＩＰアドレスを割り当てるＤＨＣＰ（Dynamic Host Configuration Protocol）サーバとしての機能も有する。
【００１６】
ＣＰＵ１０１は、補助記憶部１０３が記憶するプログラムを主記憶部１０２に読み出して実行することにより、選択部１１１、特定部１１２、登録部１１３、情報生成部１１４、送信部１１５、計時部１１６およびＩＰアドレス割当て部１１７として機能する。主記憶部１０２は、特定部１１２により特定された電気機器４の電気機器識別情報を一時的に記憶する特定電気機器記憶部１２１を有する。補助記憶部１０３は、電力分配情報記憶部１３１とレイアウト情報記憶部１３２と基準情報記憶部１３３とＩＰアドレス記憶部１３４と間取り情報記憶部１３５とを有する。特定電気機器記憶部１２１は、選択部１１１により選択された分岐線が遮断された状態において、特定部１１２により特定された応答情報を返信しない電気機器４の電気機器識別情報を記憶する。ここで、電気機器識別情報は、例えば電気機器４に割当てられたＩＰアドレスを示すＩＰアドレス情報である。
【００１７】
電力分配情報記憶部１３１は、例えば図４（Ａ）に示すように、複数の分岐線Ｂ１〜Ｂ１２、Ｂ１５、Ｂ１７を識別する分岐線識別情報を、複数の分岐線Ｂ１〜Ｂ１２、Ｂ１５、Ｂ１７それぞれによる電力供給先の部屋を識別する部屋識別情報ＩＤ１０１〜ＩＤ２０３に対応づけて記憶する。例えば部屋識別情報ＩＤ１０１が付与された部屋Ｒ１（リビングルーム）には、分岐線識別情報ＩＤＢ５、ＩＤＢ６、ＩＤＢ８、ＩＤＢ１５により電力が供給されることを示している。
【００１８】
レイアウト情報記憶部１３２は、例えば図４（Ｂ）に示すように、各電気機器４の機器情報に含まれるＭＡＣ（Media Access Control）アドレス情報を、電気機器４が配置された部屋Ｒ１、Ｒ２、Ｒ３、Ｒ４、Ｒ５の部屋識別情報ＩＤ１０１〜ＩＤ２０３に対応づけて記憶する。ここで、ＭＡＣアドレス情報は、電気機器４をネットワークＮＴ上で識別するために必要な個体情報である。そして、ＭＡＣアドレス情報は、各電気機器４の種類が判別できる態様で各電気機器４に付与されている。
【００１９】
基準情報記憶部１３３は、送信部１１５が遮断要求情報または通電要求情報を端末装置２へ送信した直後から計時部１１６により計時される経過時間に対する判定時間を示す判定時間情報を記憶する。ここで、判定時間は、ユーザが分電盤５の開閉器ＳＷ１、ＳＷ２１〜ＳＷ２７、ＳＷ３１〜ＳＷ３５、ＳＷ４１、ＳＷ４２を操作するために必要となりうる時間に設定され、例えば１０ｍｉｎに設定される。また、基準情報記憶部１３３は、送信部１１５が応答要求情報を電気機器４へ送信した直後から計時部１１６により計時される経過時間に対する基準時間を示す基準時間情報を記憶する。更に、基準情報記憶部１３３は、電力計測装置６から受信した計測値情報が示す電力量の計測値についての第１基準電力量情報と第２基準電力量情報とを記憶する。ここで、第１基準電力量情報は、分岐線による給電が停止していると判定する基準となる第１基準電力量を示す。第２基準電力量情報は、分岐線により給電中であると判定する基準となる第２基準電力量を示す。
【００２０】
図３に戻って、ＩＰアドレス記憶部１３４は、住居Ｈ内に配置された電気機器４それぞれに割り当てられたＩＰアドレスを示すＩＰアドレス情報を記憶する。間取り情報記憶部１３５は、住居Ｈ内における部屋Ｒ１、Ｒ２、Ｒ３、Ｒ４、Ｒ５の配置を示す間取り情報を記憶する。具体的には、間取り情報記憶部１３５は、例えば図５（Ａ）に示すように、部屋Ｒ１、Ｒ２、Ｒ３、Ｒ４、Ｒ５が存在する階数を示す階数情報と、各部屋Ｒ１、Ｒ２、Ｒ３、Ｒ４、Ｒ５の名称を示す部屋名称情報と、を部屋識別情報に対応づけて記憶する。
【００２１】
選択部１１１は、複数の分岐線Ｂ１〜Ｂ１２、Ｂ１５、Ｂ１７の中から、電力供給先の電気機器４の機器情報を取得する対象となる分岐線（例えば分岐線Ｂ１）を選択する。
【００２２】
特定部１１２は、選択部１１１により選択された分岐線（例えば分岐線Ｂ１）に介挿された開閉器（例えば開閉器ＳＷ２１）が開状態の場合と閉状態の場合とにおいて、ネットワークＮＴを介して取得可能なＭＡＣアドレス情報に基づいて、選択された分岐線により電力が供給される電気機器４を特定する。また、特定部１１２は、選択部１１１により選択された分岐線に介挿された開閉器が開状態の場合、ネットワークＮＴに接続された電気機器４に対して応答要求情報を送信したときに、応答情報が返信されない電気機器４を特定する。更に、特定部１１２は、電力計測装置６により計測される、選択部１１１により選択された分岐線（例えば分岐線Ｂ１）を介して供給される電力量に基づいて、選択された分岐線（例えば分岐線Ｂ１）に介挿された開閉器（例えば開閉器ＳＷ２１）が開状態であるか閉状態であるかを判定する。
【００２３】
登録部１１３は、電力分配情報記憶部１３１から、選択された分岐線（例えば分岐線Ｂ１）による電力供給先の部屋（例えば部屋Ｒ１（リビングルーム））の部屋識別情報（例えばＩＤ１０１）を取得する。そして、登録部１１３は、特定部１１２により特定された電気機器４から機器情報を取得する。ここで、機器情報は、前述のＭＡＣアドレス情報の他に、電気機器４が本実施の形態に係るエネルギマネジメントシステムに対応しているか否かを示す対応関連情報と、電気機器４の種類を識別する種類識別情報と、を含む。また、機器情報は、更に、電気機器４の型名情報と、電気機器４に付与されたシリアル番号を示すシリアル番号情報と、電気機器４の定格電力を示す定格電力情報と、電気機器４のメーカ名を示すメーカ名情報と、を含む。そして、登録部１１３は、取得した機器情報に含まれるＭＡＣアドレス情報を抽出し、機器情報に含まれる対応関連情報に基づいて、取得した部屋識別情報に対応づけてレイアウト情報記憶部１３２に記憶させる。即ち、登録部１１３は、抽出したＭＡＣアドレス情報に対応する対応関連情報がエネルギマネジメントシステムに対応していないことを示す場合、そのＭＡＣアドレス情報をレイアウト情報記憶部１３２に記憶させずに破棄する。また、登録部１１３は、選択部１１１により選択された分岐線に介挿された開閉器が開状態から閉状態に切り替わった後、特定部１１２により特定された電気機器４からネットワークＮＴを介して特定された電気機器４のＭＡＣアドレス情報を取得する。
【００２４】
情報生成部１１４は、選択部１１１により選択された分岐線（例えば分岐線Ｂ１）に介挿された開閉器（例えば開閉器ＳＷ２１）を閉状態から開状態にするための操作を行うようユーザに指令するための遮断指令情報を生成する。また、情報生成部１１４は、選択部１１１により選択された分岐線（例えば分岐線Ｂ１）に介挿された開閉器（例えば開閉器ＳＷ２１）を開状態から閉状態にするための操作を行うようユーザに指令するための通電指令情報を生成する。
【００２５】
送信部１１５は、情報生成部１１４により生成された各種情報を、ネットワーク通信部１０６または端末通信部１０７を介して電気機器４、電力計測装置６または端末装置２へ送信する。計時部１１６は、例えばソフトウェアタイマを有し、送信部１１５が遮断要求情報または通電要求情報を端末装置２へ送信した直後からの経過時間と送信部１１５が応答要求情報を電気機器４へ送信した直後からの経過時間を計時する。
【００２６】
ＩＰアドレス割当て部１１７は、ネットワークＮＴに新たに電気機器４が接続されると、接続された電気機器４にＩＰアドレスを割り当てるとともに、新たに割り当てたＩＰアドレスを示すＩＰアドレス情報をＩＰアドレス記憶部１３４に記憶させる。また、ＩＰアドレス割当て部１１７は、定期的に電気機器４に対して応答要求情報を送信する。ここで、ＩＰアドレス割当て部１１７が応答要求情報を送信する時間間隔は、例えば前述の判定時間よりも長い時間に設定されている。そして、ＩＰアドレス割当て部１１７は、予め設定された回数だけ繰り返し応答要求情報を送信しても応答情報を返信しない電気機器４についてはネットワークＮＴから離脱したと判定し、その電気機器４に割当てたＩＰアドレスを示すＩＰアドレス情報をＩＰアドレス記憶部１３４から削除する。
【００２７】
端末装置２は、タブレット端末、スマートフォン等であり、例えば図６に示すように、ＣＰＵ２０１と主記憶部２０２と補助記憶部２０３と入力部２０４と表示部２０５と通信部２０６と各部を相互に接続するバス２０９とを有する。主記憶部２０２は、揮発性メモリであり、ＣＰＵ２０１の作業領域として用いられる。補助記憶部２０３は、不揮発性メモリであり、端末装置２の各種機能を実現するためのプログラムを記憶する。入力部２０４は、タッチパネル２０４ａを有し、ユーザがタッチパネル２０４ａを操作するとその操作内容に応じた情報をＣＰＵ２０１へ出力する。表示部２０５は、ディスプレイ２０５ａを有し、例えばＣＰＵ２０１から入力される各種情報または操作画面画像をディスプレイ２０５ａに表示させる。ディスプレイ２０５ａは、例えば液晶ディスプレイである。タッチパネル２０４ａは、ディスプレイ２０５ａに重ねて配置されており、ユーザは、ディスプレイ２０５ａに表示された操作画面画像を見ながらタッチパネル２０４ａを操作することができる。通信部２０６は、無線モジュールを有し、レイアウト情報生成装置１と無線通信する。
【００２８】
ＣＰＵ２０１は、補助記憶部２０３が記憶するプログラムを主記憶部２０２に読み出して実行することにより、受付部２１１、送信部２１２、表示制御部２１３、メッセージ通知部２１５および操作画面生成部２１４として機能する。主記憶部２０２は、ユーザが入力部２０４を介して入力し受付部２１１が受け付けた情報を一時的に記憶する入力情報記憶部２２１を有する。補助記憶部２０３は、操作画面記憶部２３１とマーク画像記憶部２３２とメッセージ記憶部２３３と間取り情報記憶部２３４とを有する。操作画面記憶部２３１は、例えば住居Ｈと住居Ｈ内の部屋Ｒ１、Ｒ２、Ｒ３、Ｒ４、Ｒ５とを示す間取り画像を含む操作画面画像を記憶する。
【００２９】
メッセージ記憶部２３３は、レイアウト情報生成装置１の選択部１１１により選択された分岐線に介挿された開閉器を閉状態から開状態にするための操作を行うようユーザに促す第１メッセージ情報を記憶する。また、メッセージ記憶部２３３は、選択部１１１により選択された分岐線に介挿された開閉器を開状態から閉状態にするための操作を行うようユーザに促す第２メッセージ情報も記憶する。更に、メッセージ記憶部２３３は、レイアウト情報生成装置１が特定部１１２により特定された電気機器４から機器情報を取得中であることをユーザに通知する第３メッセージ情報を記憶する。また、メッセージ記憶部２３３は、レイアウト情報生成装置１が住居Ｈに配置された全ての電気機器４のＭＡＣアドレス情報のうちの一部の取得が完了したことをユーザに通知する第４メッセージ情報を記憶する。更に、メッセージ記憶部２３３は、レイアウト情報生成装置１が住居Ｈに配置された全ての電気機器４のＭＡＣアドレス情報の取得が完了したことをユーザに通知する第５メッセージ情報を記憶する。
【００３０】
間取り情報記憶部２３４は、前述のレイアウト情報生成装置１の間取り情報記憶部１３５と同様に、住居Ｈ内における部屋Ｒ１、Ｒ２、Ｒ３、Ｒ４、Ｒ５の配置を示す間取り情報を記憶する。具体的には、間取り情報記憶部２３４は、間取り情報記憶部１３５と同様に、例えば図５（Ａ）に示すように、部屋Ｒ１、Ｒ２、Ｒ３、Ｒ４、Ｒ５が存在する階数を示す階数情報と、各部屋Ｒ１、Ｒ２、Ｒ３、Ｒ４、Ｒ５の名称を示す部屋名称情報と、を部屋識別情報に対応づけて記憶する。
【００３１】
マーク画像記憶部２３２は、例えば図５（Ｂ）に示すように、各電気機器４のマーク画像を示すマーク画像情報を、各電気機器４のＭＡＣアドレス情報に対応づけて記憶する。
【００３２】
図６に戻って、受付部２１１は、ユーザにより入力部２０４が操作されると、その操作内容に応じた入力情報を受け付けて入力情報記憶部２２１に記憶させる。受付部２１１は、ユーザが入力部２０４を介して入力した、複数の分岐線Ｂ１〜Ｂ１２、Ｂ１５、Ｂ１７の分岐線識別情報および複数の分岐線Ｂ１〜Ｂ１２、Ｂ１５、Ｂ１７それぞれによる電力供給先の部屋を識別する部屋識別情報を受け付けて入力情報記憶部２２１に記憶させる。また、受付部２１１は、ユーザが入力部２０４を介して、レイアウト情報生成指令情報を入力すると、入力したレイアウト情報生成指令情報を受け付けて入力情報記憶部２２１に記憶させる。また、受付部２１１は、ユーザが入力部２０４を介して、間取り情報を受け付けると、受け付けた間取り情報を間取り情報記憶部２３４に記憶させる。
【００３３】
送信部２１２は、入力情報記憶部２２１が記憶する分岐線識別情報およびそれらに対応する部屋識別情報をレイアウト情報生成装置１へ送信したり、或いは、入力情報記憶部２２１が記憶するレイアウト情報生成指令情報をレイアウト情報生成装置１へ送信したりする。
【００３４】
メッセージ通知部２１５は、レイアウト情報生成装置１の情報生成部１１４により遮断指令情報が生成され、生成された遮断指令情報を受信すると、メッセージ記憶部２３３から第１メッセージ情報を取得してユーザに通知する。一方、メッセージ通知部２１５は、情報生成部１１４により通電指令情報が生成され、生成された通電指令情報を受信すると、メッセージ記憶部２３３から第２メッセージを取得してユーザに通知する。また、メッセージ通知部２１５は、情報生成部１１４により電気機器４から機器情報を取得中であることを通知する取得中通知情報が生成され、生成された取得中通知情報を受信すると、メッセージ記憶部２３３から第３メッセージ情報を取得してユーザに通知する。更に、メッセージ通知部２１５は、情報生成部１１４により住居Ｈに配置された全ての電気機器４のＭＡＣアドレス情報のうちの一部の取得が完了したことを通知する一分岐線完了通知情報が生成され、生成された一分岐線完了通知情報を受信すると、メッセージ記憶部２３３から第４メッセージ情報を取得してユーザに通知する。また、メッセージ通知部２１５は、情報生成部１１４より住居Ｈ内の全ての電気機器４についてＭＡＣアドレス情報の取得が完了したことを通知する全分岐線完了通知情報が生成され、生成された全分岐線完了通知情報を受信すると、メッセージ記憶部２３３から第５メッセージ情報を取得してユーザに通知する。ここで、メッセージ通知部２１５は、後述するように、第１メッセージ情報、第２メッセージ情報、第３メッセージ情報、第４メッセージ情報および第５メッセージ情報を含む「機器検出」ウインドウ画像を表示部２０５のディスプレイ２０５ａに表示させることによりユーザに通知する。
【００３５】
操作画面生成部２１４は、間取り情報記憶部２３４から間取り情報を取得し、取得した間取り情報に基づいて、操作画面画像を生成して操作画面記憶部２３１に記憶させる。
【００３６】
表示制御部２１３は、レイアウト情報生成装置１のレイアウト情報記憶部１３２から通信部２０６を介してＭＡＣアドレス情報および部屋識別情報を取得する。また、表示制御部２１３は、操作画面記憶部２３１から間取り画像を取得し、部屋識別情報およびＭＡＣアドレス情報に基づいて、マーク画像記憶部２３２から間取り画像における各部屋Ｒ１、Ｒ２、Ｒ３、Ｒ４、Ｒ５に対応する位置に表示されるべきマーク画像を特定する。そして、表示制御部２１３は、特定したマーク画像を間取り画像における各部屋Ｒ１、Ｒ２、Ｒ３、Ｒ４、Ｒ５に対応する位置に合成した間取り画像を生成して表示部２０５に表示させる。
【００３７】
次に、本実施の形態に係るレイアウト情報生成システムの動作について図７から図１９を参照しながら説明する。まず、端末装置２は、間取り情報を受け付けると、受け付けた間取り情報を間取り情報記憶部２３４に記憶させる（ステップＳ１）。また、受け付けた間取り情報は、端末装置２からレイアウト情報生成装置１へ送信される（ステップＳ２）。次に、端末装置２は、間取り情報記憶部２３４から間取り情報を取得し、取得した間取り情報に基づいて操作画面画像を生成する（ステップＳ３）。そして、端末装置２は、生成した操作画面画像を操作画面記憶部２３１に記憶させる。
【００３８】
ここで、端末装置２の表示制御部２１３は、例えば図８（Ａ）に示すような、対象となる住居Ｈの階数を示す領域ＢＯ１と住居Ｈの各階に存在する部屋の名称を入力する欄ＢＯ２とを含む操作画面画像をディスプレイ２０５ａに表示させる。ユーザは、この操作画面画像がディスプレイ２０５ａに表示されている状態で、ディスプレイ２０５ａに重ねて配置されたタッチパネル２０４ａを指Ｆでスワイプする操作を行うことにより（図８（Ａ）の矢印ＡＲ１参照）、所望する階数の部屋名称を表示部２０５に表示させることができる。
【００３９】
ここで、ユーザが、図８（Ｂ）に示すように、タッチパネル２０４ａにおける名称を入力したい部屋に対応する欄ＢＯ２の右横に位置するキー画像ＢＵ１に対応する部分を指Ｆでタッチしたとする。この場合、端末装置２は、図９（Ａ）に示すように、プルダウンメニュー画像ＰＭ１をディスプレイ２０５ａに表示させる。これにより、ユーザは、プルダウンメニュー画像ＰＭ１の中から部屋の名称を選択することができる。このとき、ユーザは、プルダウンメニュー画像ＰＭ１において予め設定されている部屋の名称ＭＥ１の中に希望する部屋の名称が存在しない場合、「個別入力」ＭＥ２を選択して部屋の名称を文字入力することができる。また、住居Ｈの各階における実際の部屋の数が操作画面画像に含まれる部屋の数よりも多いとする。この場合、図９（Ｂ）に示すように、ユーザは、タッチパネル２０４ａにおける操作画面画像の右端に位置するキー画像ＢＵ４に対応する部分を指Ｆでタッチすることにより、操作画面画像に含まれる各階に対応する部屋の名称を入力する欄ＢＯ２の数を増加させることができる。更に、住居Ｈの実際の階数が操作画面画像に含まれる階数よりも多いとする。この場合、ユーザは、タッチパネル２０４ａにおける操作画面画像の上端に位置するキー画像ＢＵ２またはキー画像ＢＵ３に対応する部分を指Ｆでタッチすることにより、操作画面画像に含まれる階数よりも上の階または下の階を追加することができる。そして、ユーザが住居Ｈの全ての部屋に対応する欄ＢＯ２それぞれに部屋の名称を入力した後、タッチパネル２０４ａにおける設定キー画像ＢＵ５に対応する部分をタッチすると、端末装置２の受付部２１１が、入力された間取り情報を受け付けて間取り情報記憶部２３４に記憶させる。このとき、端末装置２の送信部２１２は、受付部２１１が受け付けた間取り情報をレイアウト情報生成装置１へ送信する。そして、レイアウト情報生成装置１では、受信した間取り情報を間取り情報記憶部１３５に記憶させる。また、端末装置２の操作画面生成部２１４は、間取り情報記憶部２３４から間取り情報を取得し、取得した間取り情報に基づいて、操作画面画像を生成して操作画面記憶部２３１に記憶させる。このようにして、ユーザが前述の操作を行うことにより、間取り情報記憶部２３４が記憶する間取り情報について、部屋の名称または部屋の位置が変更可能となっている。
【００４０】
図７に戻って、次に、端末装置２が分岐線識別情報とそれに対応する部屋識別情報とを受け付けると（ステップＳ４）、受け付けた分岐線識別情報および部屋識別情報が、端末装置２からレイアウト情報生成装置１へ送信される（ステップＳ５）。
【００４１】
ここで、分岐線識別情報と部屋識別情報とは、互いに対応付けられている。ここにおいて、端末装置２の表示制御部２１３は、間取り情報記憶部２３４が記憶する間取り情報に基づいて、例えば図１０（Ａ）に示すような、住居Ｈの間取りを示す間取り画像ＧＡＨを含む操作画面画像をディスプレイ２０５ａに表示させる。ここで、ユーザが、この操作画面画像がディスプレイ２０５ａに表示されている状態で、タッチパネル２０４ａにおける分岐線識別情報を登録する対象の部屋（例えば部屋Ｒ１）に対応する領域（例えば領域Ａ１）を指Ｆでタッチしたとする。この場合、端末装置２は、図１０（Ｂ）に示すように、「分岐系統選択・検出」ウインドウ画像ＰＭ２をディスプレイ２０５ａに表示させる。
【００４２】
この「分岐系統選択・検出」ウインドウ画像ＰＭ２は、ユーザが選択した部屋（例えば部屋Ｒ１）に対応する領域（例えば領域Ａ１）に既に登録されている分岐線識別情報を示す分岐線アイコンＩＣ１と「系統選択」キー画像ＢＵ１２と「機器検出」キー画像ＢＵ１３と「終了」キー画像ＢＵ１４とを含む。ユーザは、選択した部屋（例えば部屋Ｒ１）に対応する領域（例えば領域Ａ１）に分岐線アイコンを追加したい場合、図１１（Ａ）に示すように、タッチパネル２０４ａにおける「系統選択」キー画像ＢＵ１２に対応する部分をタッチする。そうすると、端末装置２の表示制御部２１３は、図１１（Ｂ）に示すような、「分岐系統選択」ウインドウ画像ＰＭ３をディスプレイ２０５ａに表示させる。ここで、ユーザが、「分岐系統選択」ウインドウ画像ＰＭ３に含まれる複数の分岐線アイコンの中から、選択した領域（例えば領域Ａ１）に追加で登録したい分岐線アイコン（例えば分岐線アイコンＩＣ１１）を選択し、タッチパネル２０４ａ上において選択した分岐線アイコンを選択した領域（例えば領域Ａ１）に対応する部分までドラッグする操作を行ったとする（図１１（Ｂ）の矢印ＡＲ２参照）。この場合、端末装置２は、ユーザにより選択された分岐線アイコン（例えば分岐線アイコンＩＣ１１）を選択した領域（例えば領域Ａ１）に追加で登録する。
【００４３】
そして、ユーザが、図１２（Ａ）に示すように、タッチパネル２０４ａにおけるキー画像ＢＵ１６に対応する部分を指Ｆでタッチすると、端末装置２の表示制御部２１３は、図１２（Ｂ）に示すように再び「分岐系統選択・検出」ウインドウ画像ＰＭ２をディスプレイ２０５ａに表示させる。このとき、ユーザは、「分岐系統選択・検出」ウインドウ画像ＰＭ２により分岐線アイコン（例えば分岐線アイコンＩＣ１１）が新たに選択した領域（例えば領域Ａ１）に登録されていることを確認できる。また、図１３（Ａ）に示すように、不要な分岐線アイコンＩＣ１２が登録されているとする。この場合、ユーザは、タッチパネルにおける不要な分岐線アイコンＩＣ１２に対応する部分を指Ｆでタッチした状態で指Ｆを「分岐系統選択・検出」ウインドウ画像ＰＭ２の外側へ移動させることにより（図１３（Ａ）中の矢印ＡＲ３参照）、不要な分岐線アイコンＩＣ１２を削除することができる。そして、図１３（Ｂ）に示すように、ユーザがタッチパネル２０４ａにおける「終了」キー画像ＢＵ１４に対応する部分を指Ｆでタッチすると、端末装置２の表示制御部２１３は、「分岐系統選択・検出」ウインドウ画像ＰＭ２を操作画面画像から削除する。このとき、端末装置２の受付部２１１が分岐線識別情報および部屋識別情報を受け付けて入力情報記憶部２２１に記憶させ、端末装置２の送信部２１２が入力情報記憶部２２１から分岐線識別情報および部屋識別情報を取得してレイアウト情報生成装置１へ送信する。
【００４４】
図７に戻って、レイアウト情報生成装置１は、端末装置２から分岐線識別情報および部屋識別情報を受信すると、受信した分岐線識別情報を受信した部屋識別情報に対応づけて電力分配情報記憶部１３１に記憶させるとともに、間取り情報を間取り情報記憶部１３５に記憶させる（ステップＳ６）。そして、住居Ｈの全ての部屋Ｒ１、Ｒ２、Ｒ３、Ｒ４、Ｒ５について前述のステップＳ３からＳ５の処理が繰り返し実行されると、電力分配情報記憶部１３１は、例えば図４（Ａ）に示すように、分岐線識別情報を各部屋Ｒ１、Ｒ２、Ｒ３、Ｒ４、Ｒ５の部屋識別情報に対応づけて記憶した状態となる。
【００４５】
その後、住居Ｈ内に配置された電気機器４が稼働している状態で（ステップＳ７）、端末装置２が電気機器４のレイアウト情報を生成することをレイアウト情報生成装置１へ指示するための操作を受け付けたとする（ステップＳ８）。この場合、レイアウト情報生成装置１にレイアウト情報を生成させるためのレイアウト情報生成指令情報が、端末装置２からレイアウト情報生成装置１へ送信される（ステップＳ９）。
【００４６】
ユーザが、例えば図１４（Ａ）に示すような操作画面画像がディスプレイ２０５ａに表示されている状態で、タッチパネル２０４ａにおけるレイアウト情報を生成する対象となる部屋（例えば部屋Ｒ１）に対応する領域（例えば領域Ａ１）に対応する部分を指Ｆでタッチすると、領域Ａ１に対応する「分岐系統選択・検出」ウインドウ画像ＰＭ２がディスプレイ２０５ａに表示される。そして、ユーザは、「分岐系統選択・検出」ウインドウ画像ＰＭ２を参照して対象となる領域（例えば領域Ａ１）について分岐線アイコンＩＣ１、ＩＣ１１が正しく登録されていることを確認した後、タッチパネル２０４ａにおける「機器検出」キー画像ＢＵ１３に対応する部分をタッチする。そうすると、端末装置２の受付部２１１がレイアウト情報生成指令情報を受け付けて入力情報記憶部２２１に記憶させ、端末装置２の送信部２１２が入力情報記憶部２２１からレイアウト情報生成指令情報を取得してレイアウト情報生成装置１へ送信する。
【００４７】
図７に戻って、レイアウト情報生成装置１は、端末装置２からレイアウト情報生成指令情報を受信すると、レイアウト情報を生成するためにＭＡＣアドレス情報を取得する電気機器４が接続された分岐線（例えば分岐線Ｂ５）を選択する（ステップＳ１０）。続いて、選択された分岐線に介挿された開閉器を開状態にして選択した分岐線を遮断状態にすることをユーザに要求するための遮断要求情報が、レイアウト情報生成装置１から端末装置２へ送信される（ステップＳ１１）。一方、端末装置２は、レイアウト情報生成装置１から遮断要求情報を受信すると、選択された分岐線に介挿された開閉器を閉状態から開状態にするための操作を行うようユーザに促す第１メッセージ情報を表示する（ステップＳ１２）。
【００４８】
ここで、端末装置２のメッセージ通知部２１５は、例えば図１４（Ｂ）に示すように、第１メッセージ情報Ｍ１を含む「機器検出」ウインドウ画像ＰＭ４をディスプレイ２０５ａに表示させる。第１メッセージ情報Ｍ１は、ユーザに選択された分岐線に介挿された開閉器を開状態にするよう促すメッセージ情報であり、図１４（Ｂ）の場合、「点滅している系統のブレーカを遮断してください。」というメッセージ情報である。ここにおいて、「機器検出」ウインドウ画像ＰＭ４に含まれるユーザに遮断するよう促す分岐線を示す分岐線アイコン（例えば分岐線アイコンＩＣ１４）は、周部が点滅しておりユーザが遮断すべき分岐線を視認し易くなっている。これにより、ユーザが誤って他の分岐線を遮断してしまうことが抑制される。ユーザは、ディスプレイ２０５ａに表示された「機器検出」ウインドウ画像ＰＭ４を参照しながら分電盤５の選択された分岐線（例えば分岐線Ｂ５）に介挿された開閉器（例えば開閉器ＳＷ２３）を開状態にすることにより選択された分岐線を遮断できる。
【００４９】
図７に戻って、その後、電力計測装置６へ選択された分岐線について電力を計測するよう指令する電力計測指令情報が、レイアウト情報生成装置１から電力計測装置６へ送信される（ステップＳ１３）。ここで、ユーザにより選択された分岐線が遮断されると、電気機器４は停止する（ステップＳ１４）。この状態で、電力計測装置６が選択された分岐線を介して供給される電力量が計測され（ステップＳ１５）、計測により得られた計測値情報が電力計測装置６からレイアウト情報生成装置１へ送信されたとする（ステップＳ１６）。この場合、レイアウト情報生成装置１が、選択された分岐線による給電が停止していると判定し（ステップＳ１７）、電気機器４に対して応答情報の返信を要求する応答要求情報が、レイアウト情報生成装置１から各電気機器４へ送信される（ステップＳ１８）。この応答要求情報は、例えば各電気機器４のＩＰアドレスを宛先とするＰＩＮＧコマンドである。このとき、選択された分岐線により電力が供給される電気機器４は、停止しているため、レイアウト情報生成装置１へ応答情報を返信しない。続いて、レイアウト情報生成装置１は、応答要求情報を送信してから、基準情報記憶部１３３が記憶する基準時間だけ経過するまでの間に応答情報を返信しない電気機器４を特定する（ステップＳ１９）。その後、選択された分岐線に介挿された開閉器を閉状態にして選択した分岐線を通電状態にすることをユーザに要求するための通電要求情報が、レイアウト情報生成装置１から端末装置２へ送信される（ステップＳ２０）。
【００５０】
一方、端末装置２は、図１５に示すように、レイアウト情報生成装置１から通電要求情報を受信すると、選択された分岐線に介挿された開閉器を開状態から閉状態にするための操作を行うようユーザに促す第２メッセージ情報を表示する（ステップＳ２１）。
【００５１】
ここで、端末装置２のメッセージ通知部２１５は、例えば図１６（Ａ）に示すように、第２メッセージ情報Ｍ２を含む「機器検出」ウインドウ画像ＰＭ４をディスプレイ２０５ａに表示させる。第２メッセージ情報Ｍ２は、ユーザに選択された分岐線に介挿された開閉器を閉状態にするよう促すメッセージ情報であり、図１６（Ａ）の場合、「点滅している系統のブレーカを通電してください。」というメッセージ情報である。ここにおいて、「機器検出」ウインドウ画像ＰＭ４に含まれるユーザに遮断するよう促す分岐線を示す分岐線アイコン（例えば分岐線アイコンＩＣ１４）は、周部が点滅しておりユーザが遮断すべき分岐線を視認し易くなっている。ユーザは、ディスプレイ２０５ａに表示された「機器検出」ウインドウ画像ＰＭ４を参照しながら分電盤５の選択された分岐線（例えば分岐線Ｂ５）に介挿された開閉器（例えば開閉器ＳＷ２３）を閉状態にすることにより選択された分岐線を通電状態にすることができる。
【００５２】
図１５に戻って、次に、電力計測装置６へ選択された分岐線について電力を計測するよう指令する電力計測指令情報が、レイアウト情報生成装置１から電力計測装置６へ送信される（ステップＳ２２）。ここで、ユーザにより選択された分岐線が通電状態になると、電気機器４が起動する（ステップＳ２３）。この状態で、電力計測装置６が選択された分岐線を介して供給される電力量が計測され（ステップＳ２４）、計測により得られた計測値情報が電力計測装置６からレイアウト情報生成装置１へ送信されたとする（ステップＳ２５）。この場合、レイアウト情報生成装置１が、選択された分岐線により給電中であると判定し（ステップＳ２６）、ユーザに対して電気機器４のＭＡＣアドレス情報を取得中であることを通知するための取得中通知情報が、レイアウト情報生成装置１から端末装置２へ送信される（ステップＳ２７）。一方、端末装置２は、レイアウト情報生成装置１から取得中通知情報を受信すると、レイアウト情報生成装置１が電気機器４のＭＡＣアドレス情報を取得中であることを示す第３メッセージ情報を表示する（ステップＳ２８）。
【００５３】
ここで、端末装置２のメッセージ通知部２１５は、例えば図１６（Ｂ）に示すように、第３メッセージ情報Ｍ３を含む「機器検出」ウインドウ画像ＰＭ４をディスプレイ２０５ａに表示させる。この第３メッセージ情報は、レイアウト情報生成装置１がレイアウト情報を生成するために選択された分岐線（例えば分岐線Ｂ５）に接続された電気機器４のＭＡＣアドレス情報を検出中であることを示すメッセージ情報であり、図１６（Ｂ）の場合、「系統に接続している機器を検出しています。」というメッセージ情報である。ここにおいて、ＭＡＣアドレス情報を取得する対象となる分岐線を示す分岐線アイコン（例えば分岐線アイコンＩＣ１４）は、周部が点滅しておりユーザが対象の分岐線を視認し易くなっている。
【００５４】
図１５に戻って、続いて、特定された電気機器４に対して応答情報の返信を要求する応答要求情報が、レイアウト情報生成装置１から特定された電気機器４へ送信される（ステップＳ２９）。このとき、特定された電気機器４は、選択された分岐線により電力が供給され稼働している。このため、応答要求情報に対する応答情報が、特定された電気機器４からレイアウト情報生成装置１へ送信される（ステップＳ３０）。レイアウト情報生成装置１は、特定された電気機器４から応答情報を受信すると、ネットワークＮＴを介して特定された電気機器４と接続された状態にあると判定する。
【００５５】
その後、レイアウト情報生成装置１が、特定された電気機器４とネットワークＮＴを介して接続された状態にあると判定されたとする。この場合、特定された電気機器４に対してそのＭＡＣアドレス情報を含む機器情報の返信を要求する機器情報要求情報が、レイアウト情報生成装置１から特定された電気機器４へ送信される（ステップＳ３１）。一方、特定された電気機器４が機器情報要求情報を受信すると、特定された電気機器４の機器情報が、特定された電気機器４からレイアウト情報生成装置１へ送信される（ステップＳ３２）。一方、レイアウト情報生成装置１は、機器情報を受信すると、受信した機器情報に含まれるＭＡＣアドレス情報を抽出して選択した分岐線の分岐線識別情報に対応づけてレイアウト情報記憶部１３２に記憶させる（ステップＳ３３）。
【００５６】
次に、レイアウト情報生成装置１が、選択した分岐線のうちの１つの分岐線に接続された全ての電気機器４のＭＡＣアドレス情報を取得したと判定したとする（ステップＳ３４）。この場合、その１つの分岐線についてＭＡＣアドレス情報の取得が完了したことを通知する一分岐線完了通知情報が、レイアウト情報生成装置１から端末装置２へ送信される（ステップＳ３５）。一方、端末装置２は、レイアウト情報生成装置１から一分岐線完了通知情報を受信すると、レイアウト情報生成装置１が住居Ｈに配置された全ての電気機器４のＭＡＣアドレス情報のうちの一部の取得が完了したことを通知する第４メッセージ情報を表示する（ステップＳ３６）。
【００５７】
ここで、端末装置２のメッセージ通知部２１５は、例えば図１７（Ａ）に示すように、第４メッセージ情報Ｍ４を含む「機器検出」ウインドウ画像ＰＭ４をディスプレイ２０５ａに表示させる。この第４メッセージ情報は、レイアウト情報生成装置１が住居Ｈに配置された全ての電気機器４のＭＡＣアドレス情報のうちの一部の取得を完了したことを示すメッセージ情報であり、図１７（Ａ）の場合、「機器検出が完了しました。」というメッセージ情報である。ここにおいて、ＭＡＣアドレス情報の取得が完了した分岐線を示す分岐線アイコン（例えば分岐線アイコンＩＣ１４）は、ＭＡＣアドレス情報未取得の分岐線を示す分岐線アイコンと異なる色に表示される。これにより、ユーザは、ＭＡＣアドレス情報の取得が完了した分岐線とＭＡＣアドレス情報未取得の分岐線とを一目で区別することができる。
【００５８】
図１５に戻って、続いて、レイアウト情報生成装置１がＭＡＣアドレス情報未取得の分岐線が有ると判定すると（ステップＳ３７）、その中の１つの分岐線を選択する（ステップＳ３８）。その後、選択された分岐線に介挿された開閉器を開状態にして選択した分岐線を遮断状態にすることをユーザに要求するための遮断要求情報が、レイアウト情報生成装置１から端末装置２へ送信される（ステップＳ３９）。一方、端末装置２は、レイアウト情報生成装置１から遮断要求情報を受信すると、選択された分岐線に介挿された開閉器を閉状態から開状態にするための操作を行うようユーザに促す第１メッセージ情報を表示する（ステップＳ４０）。
【００５９】
ここで、端末装置２のメッセージ通知部２１５は、例えば図１７（Ｂ）に示すように、前述の第１メッセージ情報Ｍ１を含む「機器検出」ウインドウ画像ＰＭ４をディスプレイ２０５ａに表示させる。このとき、「機器検出」ウインドウ画像ＰＭ４には、ＭＡＣアドレス情報の取得が完了した分岐線の分岐線アイコン（例えば分岐線アイコンＩＣ１４）も含まれる。また、ＭＡＣアドレス情報を取得する対象となる分岐線を示す分岐線アイコン（例えば分岐線アイコンＩＣ１５）は、周部が点滅しておりユーザが対象の分岐線を視認し易くなっている。
【００６０】
その後、前述のステップＳ１３以降の処理が実行され、レイアウト情報生成装置１が、図１８に示すように、全ての分岐線についてＭＡＣアドレス情報の取得が完了したと判定したとする（ステップＳ４１）。この場合、全ての分岐線についてＭＡＣアドレス情報の取得が完了したことを通知する全分岐線完了通知情報が、レイアウト情報生成装置１から端末装置２へ送信される（ステップＳ４２）。一方、端末装置２は、レイアウト情報生成装置１から全分岐線完了通知情報を受信すると、レイアウト情報生成装置１が住居Ｈに配置された全ての電気機器４のＭＡＣアドレス情報の取得が完了したことを通知する第５メッセージ情報を表示する（ステップＳ４３）。
【００６１】
ここで、端末装置２のメッセージ通知部２１５は、例えば図１９（Ａ）に示すように、第５メッセージ情報Ｍ５を含む「機器検出」ウインドウ画像ＰＭ４をディスプレイ２０５ａに表示させる。この第５メッセージ情報は、レイアウト情報生成装置１が住居Ｈに配置された全ての電気機器４のＭＡＣアドレス情報の取得を完了したことを示すメッセージ情報であり、図１９（Ａ）の場合、「全ての系統の機器検出が完了しています。」というメッセージ情報である。ここにおいて、全ての分岐線アイコンは、ＭＡＣアドレス情報未取得時における分岐線アイコンの色と異なる色に表示される。これにより、ユーザは、全ての分岐線についてＭＡＣアドレス情報の取得が完了したことを確認することができる。
【００６２】
図１８に戻って、その後、端末装置２が電気機器４のレイアウト情報をディスプレイ２０５ａに表示させるための操作を受け付けたとする（ステップＳ４４）。この場合、レイアウト情報生成装置１へレイアウト情報、即ち、分岐線識別情報とＭＡＣアドレス情報との取得を要求するためのレイアウト情報取得要求情報が、端末装置２からレイアウト情報生成装置１へ送信される（ステップＳ４５）。一方、レイアウト情報生成装置１は、レイアウト情報取得要求情報を受信すると、レイアウト情報記憶部１３２から分岐線識別情報とそれに対応するＭＡＣアドレス情報とを取得する。そして、取得された分岐線識別情報とＭＡＣアドレス情報とが、レイアウト情報生成装置１から端末装置２へ送信される（ステップＳ４６）。一方、端末装置２は、分岐線識別情報とＭＡＣアドレス情報とを受信すると、それらに基づいて、各部屋Ｒ１、Ｒ２、Ｒ３、Ｒ４、Ｒ５に対応する領域Ａ１、Ａ２、Ａ３、Ａ４、Ａ５に各部屋Ｒ１、Ｒ２、Ｒ３、Ｒ４、Ｒ５に配置された電気機器４を示すマーク画像を含む間取り画像を表示する（ステップＳ４７）。
【００６３】
ここで、端末装置２の表示制御部２１３は、操作画面記憶部２３１から間取り画像を取得し、部屋識別情報およびＭＡＣアドレス情報に基づいて、マーク画像記憶部２３２から間取り画像における各部屋Ｒ１、Ｒ２、Ｒ３、Ｒ４、Ｒ５に対応する位置に表示されるべきマーク画像を特定する。そして、表示制御部２１３は、例えば図１９（Ｂ）に示すような特定したマーク画像ＧＡ１、ＧＡ２、ＧＡ３、ＧＡ４、ＧＡ５、ＧＡ６を間取り画像における各部屋Ｒ１、Ｒ２、Ｒ３、Ｒ４、Ｒ５に対応する位置に合成した間取り画像を生成してディスプレイ２０５ａに表示させる。図１９（Ｂ）に示す例では、エアコンのマーク画像ＧＡ１、炊飯器のマーク画像ＧＡ２、冷蔵庫のマーク画像ＧＡ３、テレビのマーク画像ＧＡ４、ＩＨ調理器のマーク画像ＧＡ５、給湯機（給湯設備）のマーク画像ＧＡ６が、間取り画像ＧＡＨに合成されている。これにより、ユーザは、この間取り画像を確認することにより、住居Ｈ内に配置された各電気機器４のレイアウトを把握することができる。
【００６４】
次に、本実施の形態に係るレイアウト情報生成装置１が実行するレイアウト情報生成処理について、図２０および図２１を参照しながら説明する。このレイアウト情報生成処理は、電力分配情報記憶部１３１に分岐線識別情報が部屋情報に対応づけて記憶された状態で、端末装置２から前述のレイアウト情報生成指令情報を受信したことを契機として開始される。まず、選択部１１１は、レイアウト情報を生成するためにＭＡＣアドレス情報を取得する電気機器４が接続された分岐線を選択する（ステップＳ１０１）。
【００６５】
次に、情報生成部１１４が、選択された分岐線に介挿された開閉器を開状態にして選択した分岐線を遮断状態にすることをユーザに要求するための遮断要求情報を生成し、送信部１１５が、生成された遮断要求情報を端末装置２へ送信する（ステップＳ１０２）。このとき、端末装置２のメッセージ通知部２１５は、レイアウト情報生成装置１から遮断要求情報を受信すると、選択された分岐線に介挿された開閉器を閉状態から開状態にするための操作を行うようユーザに促す第１メッセージ情報を表示部２０５のディスプレイ２０５ａに表示させる。また、計時部１１６は、送信部１１５が遮断要求情報を端末装置２へ送信した直後から経過時間の計時を開始する。
【００６６】
続いて、情報生成部１１４が、電力計測装置６へ選択部１１１により選択された分岐線について電力を計測するよう指令する電力計測指令情報を生成し、送信部１１５が、電力計測指令情報を電力計測装置６へ送信する（ステップＳ１０３）。電力計測指令情報には、選択部１１１により選択された分岐線の分岐線識別情報が含まれている。このとき、電力計測装置６は、電力計測指令情報を受信すると、受信した電力計測指令情報から分岐線識別情報を抽出し、抽出した分岐線識別情報に対応する分岐線について電力量を計測する。そして、電力計測装置６は、計測して得られた電力量の計測値を示す計測値情報をレイアウト情報生成装置１へ送信する。
【００６７】
その後、特定部１１２は、電力計測装置６から計測値情報を受信すると（ステップＳ１０４）、受信した計測値情報が示す電力量の計測値に基づいて、選択部１１１により選択された分岐線による給電が停止しているか否かを判定する（ステップＳ１０５）。ここで、特定部１１２は、計測値情報が示す電力量の計測値が予め設定された第１基準電力量以下である場合、選択部１１１により選択された分岐線による給電が停止していると判定する。特定部１１２は、選択部１１１により選択された分岐線による給電が停止していないと判定すると（ステップＳ１０５：Ｎｏ）、計時部１１６により計時される経過時間が予め設定された判定時間が経過したか否かを判定する（ステップＳ１０６）。特定部１１２が、経過時間が予め設定された判定時間が経過していないと判定すると（ステップＳ１０６：Ｎｏ）、再びステップＳ１０３の処理が実行される。一方、特定部１１２が、経過時間が予め設定された判定時間が経過したと判定すると（ステップＳ１０６：Ｙｅｓ）、情報生成部１１４がアラーム情報を生成し、送信部１１５が、生成したアラーム情報を端末装置２へ送信し（ステップＳ１０７）、レイアウト情報生成処理が終了する。このとき、端末装置２は、アラーム情報を受信すると、例えば再び初期の操作画面画像を表示部２０５のディスプレイ２０５ａに表示させる。
【００６８】
また、特定部１１２が、ステップＳ１０５において、選択部１１１により選択された分岐線による給電が停止していると判定すると（ステップＳ１０５：Ｙｅｓ）、情報生成部１１４が、応答要求情報を生成し、送信部１１５が、全ての電気機器４に対して応答要求情報を送信する（ステップＳ１０８）。ここで、計時部１１６は、送信部１１５が応答要求情報を送信した直後から経過時間の計時を開始する。また、応答要求情報は、前述のように例えば各電気機器４のＩＰアドレスを宛先とするＰＩＮＧコマンドである。
【００６９】
次に、特定部１１２は、予め設定された基準時間以内に応答情報を返信しない電気機器４を特定し、特定した電気機器４を識別する電気機器識別情報を特定電気機器記憶部１２１に記憶させる（ステップＳ１０９）。
【００７０】
続いて、情報生成部１１４が、選択された分岐線に介挿された開閉器を閉状態にして選択した分岐線を通電状態にすることをユーザに要求するための通電要求情報を生成し、送信部１１５が、生成した通電要求情報を端末装置２へ送信する（ステップＳ１１０）。このとき、端末装置２のメッセージ通知部２１５は、レイアウト情報生成装置１から通電要求情報を受信すると、選択された分岐線に介挿された開閉器を開状態から閉状態にするための操作を行うようユーザに促す第２メッセージ情報を表示部２０５のディスプレイ２０５ａに表示させる。また、計時部１１６は、送信部１１５が通電要求情報を端末装置２へ送信した直後から経過時間の計時を開始する。
【００７１】
その後、情報生成部１１４が、電力計測装置６へ選択部１１１により選択された分岐線について電力を計測するよう指令する電力計測指令情報を生成し、送信部１１５が、電力計測指令情報を電力計測装置６へ送信する（ステップＳ１１１）。
【００７２】
次に、特定部１１２は、電力計測装置６から計測値情報を受信すると（ステップＳ１１２）、図２１に示すように、受信した計測値情報が示す電力量の計測値に基づいて、選択部１１１により選択された分岐線により給電中であるか否かを判定する（ステップＳ１１３）。ここで、特定部１１２は、計測値情報が示す電力量の計測値が予め設定された第２基準電力量以上である場合、選択部１１１により選択された分岐線により給電中であると判定する。特定部１１２は、選択部１１１により選択された分岐線による給電が停止していると判定すると（ステップＳ１１３：Ｎｏ）、計時部１１６により計時される経過時間が予め設定された判定時間が経過したか否かを判定する（ステップＳ１１４）。特定部１１２が、経過時間が予め設定された判定時間が経過していないと判定すると（ステップＳ１１４：Ｎｏ）、再び図２０のステップＳ１１１の処理が実行される。一方、特定部１１２が、経過時間が予め設定された判定時間が経過したと判定すると（ステップＳ１１４：Ｙｅｓ）、図２０のステップＳ１０７の処理が実行され、レイアウト情報生成処理が終了する。
【００７３】
また、特定部１１２は、図２１のステップＳ１１３において、選択部１１１により選択された分岐線により給電中であると判定したとする（ステップＳ１１３：Ｙｅｓ）。この場合、情報生成部１１４は、ユーザに対して電気機器４のＭＡＣアドレス情報を取得中であることを通知するための取得中通知情報を生成し、送信部１１５が、生成した取得中通知情報を端末装置２へ送信する（ステップＳ１１５）。このとき、端末装置２のメッセ−ジ通知部２１５は、レイアウト情報生成装置１から取得中通知情報を受信すると、レイアウト情報生成装置１が電気機器４のＭＡＣアドレス情報を取得中であることを示す第３メッセージ情報を表示部２０５のディスプレイ２０５ａに表示する。
【００７４】
続いて、情報生成部１１４が、応答要求情報を生成し、送信部１１５が、特定電気機器記憶部１２１が記憶する電気機器識別情報に基づいて、特定部１１２により特定された電気機器４に対して応答要求情報を送信する（ステップＳ１１６）。ここで、計時部１１６は、送信部１１５が応答要求情報を送信した直後から経過時間の計時を開始する。その後、特定部１１２は、基準時間以内に応答要求情報の送信先の電気機器４から応答情報を受信したか否かを判定する（ステップＳ１１７）。特定部１１２が、計時部１１６が計時する経過時間に基づいて、基準時間以内に応答要求情報の送信先の電気機器４から応答情報を受信しなかったと判定すると（ステップＳ１１７：Ｎｏ）、後述のステップＳ１２１の処理が実行される。一方、特定部１１２が、応答要求情報の送信先の電気機器４から応答情報を受信したと判定したとする（ステップＳ１１７：Ｙｅｓ）。この場合、情報生成部１１４が、電気機器４に対してそのＭＡＣアドレス情報を含む機器情報の返信を要求する機器情報要求情報を生成し、送信部１１５が、生成した機器情報要求情報を電気機器４へ送信する（ステップＳ１１８）。このとき、電気機器４は、機器情報要求情報を受信すると、自機のＭＡＣアドレス情報を含む機器情報をレイアウト情報生成装置１へ送信する。そして、登録部１１３は、電気機器４から機器情報を受信すると（ステップＳ１１９）、受信した機器情報からＭＡＣアドレス情報を抽出して選択した分岐線の分岐線識別情報に対応づけてレイアウト情報記憶部１３２に記憶させる（ステップＳ１２０）。
【００７５】
その後、登録部１１３は、特定電気機器記憶部１２１を参照して、特定部１１２により特定した全電気機器４についてＭＡＣアドレス情報を取得したか否かを判定する（ステップＳ１２１）。登録部１１３が、特定部１１２により特定された電気機器４の中に未だＭＡＣアドレス情報を取得していない電気機器４が存在すると判定すると（ステップＳ１２１：Ｎｏ）、再びステップＳ１１６の処理を実行する。ここで、情報生成部１１４および送信部１１５は、ＭＡＣアドレス情報の取得を試みてＭＡＣアドレス情報を取得出来なかった電気機器４については再度のステップＳ１２１以降の処理を回避する。
【００７６】
一方、登録部１１３が、特定部１１２により特定した全電気機器４についてＭＡＣアドレス情報を取得したと判定したとする（ステップＳ１２１：Ｙｅｓ）。この場合、情報生成部１１４が、１つの分岐線についてＭＡＣアドレス情報の取得が完了したことを通知する一分岐線完了通知情報を生成し、送信部１１５が、生成した一分岐線完了通知情報を端末装置２へ送信する（ステップＳ１２２）。このとき、端末装置２は、レイアウト情報生成装置１から一分岐線完了通知情報を受信すると、前述の第４メッセージ情報を表示部２０５のディスプレイ２０５ａに表示させる。
【００７７】
次に、登録部１１３は、電力分配情報記憶部１３１を参照して、全ての分岐線についてＭＡＣアドレス情報の取得が完了したか否かを判定する（ステップＳ１２３）。登録部１１３が、ＭＡＣアドレス情報未取得の分岐線が有ると判定すると（ステップＳ１２３：Ｎｏ）、図２０に示すように、再び選択部１１１が、ＭＡＣアドレス未取得の分岐線を選択する（ステップＳ１０１）。続いて、ステップＳ１０２以降の処理が実行される。一方、図２１に示すように、登録部１１３が、全ての分岐線についてＭＡＣアドレス情報の取得が完了したと判定したとする（ステップＳ１２３：Ｙｅｓ）。この場合、情報生成部１１４が、全ての分岐線についてＭＡＣアドレス情報の取得が完了したことを通知する全分岐線完了通知情報を生成し、送信部１１５が、生成した全分岐線完了通知情報を端末装置２へ送信し（ステップＳ１２４）、レイアウト情報生成処理が終了する。このとき、端末装置２は、レイアウト情報生成装置１から全分岐線完了通知情報を受信すると、前述の第５メッセージ情報を表示部２０５のディスプレイ２０５ａに表示させる。
【００７８】
以上説明したように、本実施の形態に係るレイアウト情報生成システムによれば、特定部１１２が、選択部１１１により選択された分岐線に介挿された開閉器が開状態の場合および閉状態の場合にネットワークＮＴを介して取得可能な機器情報に基づいて、選択した分岐線により電力が供給される電気機器４を特定する。具体的には、特定部１１２は、選択された分岐線に介挿された開閉器が開状態の場合、ネットワークＮＴに接続された電気機器４に対して応答要求情報を送信したときに、応答情報が返信されない電気機器４を特定する、そして、登録部１１３が、電力分配情報記憶部１３１から、選択した分岐線による電力供給先の部屋の部屋識別情報を取得し、特定部１１２により特定された電気機器４のＭＡＣアドレス情報を、取得した部屋識別情報に対応づけてレイアウト情報記憶部１３２に記憶させる。これにより、ユーザは、分電盤５の開閉器の操作を行うだけで住居Ｈ内におけるネットワークＮＴに接続された各電気機器４のレイアウト情報を得ることができるので、レイアウト情報を生成する際のユーザの負担が軽減される。
【００７９】
また、本実施の形態に係るレイアウト情報生成システムでは、登録部１１３が、選択された分岐線に介挿された開閉器が開状態から閉状態に切り替わった後、特定部１１２により特定された電気機器４のみからネットワークＮＴを介して特定された電気機器４の機器情報を取得する。これにより、電気機器４からレイアウト情報生成装置１へ機器情報が送信される頻度を抑制できるので、ネットワークＮＴの通信量低減および機器情報のセキュリティ向上が図られる。
【００８０】
更に、本実施の形態に係るレイアウト情報生成システムによれば、メッセージ通知部２１５が、情報生成部１１４により遮断指令情報が生成されると、選択された分岐線に介挿された開閉器を閉状態から開状態にするための操作を行うようユーザに促す第１メッセージ情報をユーザに通知する。一方、メッセージ通知部２１５は、情報生成部１１４により通電指令情報が生成されると、選択された分岐線に介挿された開閉器を開状態から閉状態にするための操作を行うようユーザに促す第２メッセージ情報をユーザに通知する。これにより、ユーザは、第１メッセージ情報または第２メッセージ情報を確認しながら開閉器ＳＷ１、ＳＷ２１〜ＳＷ２７、ＳＷ３１〜ＳＷ３５、ＳＷ４１、ＳＷ４２の操作を行うことができる。従って、ユーザは、開閉器ＳＷ１、ＳＷ２１〜ＳＷ２７、ＳＷ３１〜ＳＷ３５、ＳＷ４１、ＳＷ４２を適切に操作することが可能となる。
【００８１】
また、本実施の形態に係るレイアウト情報生成システムは、分岐線Ｂ１〜Ｂ１２、Ｂ１５、Ｂ１７を介して部屋Ｒ１、Ｒ２、Ｒ３、Ｒ４、Ｒ５へ供給される電力量を計測する電力計測装置６を備える。そして、特定部１１２は、電力計測装置６により計測される、選択された分岐線を介して供給される電力量に基づいて、選択された分岐線に介挿された開閉器が開状態であるか閉状態であるかを判定する。これにより、選択された分岐線に接続された電気機器４を精度良く特定することができる。
【００８２】
更に、本実施の形態に係る端末装置２の表示制御部２１３は、住居Ｈの間取り画像ＧＡＨにおける各部屋Ｒ１、Ｒ２、Ｒ３、Ｒ４、Ｒ５に対応する領域Ａ１、Ａ２、Ａ３、Ａ４、Ａ５に表示されるべきマーク画像を特定する。そして、表示制御部２１３は、特定したマーク画像を間取り画像ＧＡＨにおける各部屋Ｒ１、Ｒ２、Ｒ３、Ｒ４、Ｒ５に対応する領域Ａ１、Ａ２、Ａ３、Ａ４、Ａ５に合成した間取り画像を表示部２０５のディスプレイ２０５ａに表示させる。これにより、ユーザは、住居Ｈ内に配置された電気機器４のレイアウトを容易に把握することができる。
【００８３】
以上、本発明の実施の形態について説明したが、本発明は実施の形態によって限定されるものではない。例えば、図２２に示すように、分電盤２００５が、外部から受信した遮断指令情報または通電指令に基づいて開閉器ＳＷ１、ＳＷ２１〜ＳＷ２７、ＳＷ３１〜ＳＷ３５、ＳＷ４１、ＳＷ４２を駆動する開閉器駆動装置２０５１を備えるものであってもよい。ここで、遮断指令情報は、開閉器ＳＷ１、ＳＷ２１〜ＳＷ２７、ＳＷ３１〜ＳＷ３５、ＳＷ４１、ＳＷ４２を開状態にするよう指令する制御情報である。また、通電指令情報は、開閉器ＳＷ１、ＳＷ２１〜ＳＷ２７、ＳＷ３１〜ＳＷ３５、ＳＷ４１、ＳＷ４２を閉状態にするよう指令する制御情報である。また、図２３に示すように、本変形例に係るＣＰＵ１０１は、補助記憶部１０３が記憶するプログラムを主記憶部１０２に読み出して実行することにより、選択部１１１、特定部１１２、登録部１１３、情報生成部１１４、送信部１１５および計時部１１６の他に開閉器制御部２１１７として機能する。なお、図２２および図２３において、実施の形態と同様の構成については、図２および図３と同一の符号を付している。開閉器制御部２１１７は、開閉器駆動装置２０５１へ遮断指令情報または通電指令情報を送信することにより、選択部１１１により選択された分岐線に介挿された開閉器の開閉状態を制御する。また、端末装置２のメッセージ記憶部２３３は、実施の形態で説明した各種メッセージ情報に加えて、分岐線が遮断されていることを通知するメッセージを示す遮断メッセージ情報と、分岐線が通電中であることを通知するメッセージを示す通電メッセージ情報と、を記憶する。なお、開閉器制御部２１１７の機能は、情報生成部１１４の機能の一部として実現されてもよい。即ち、情報生成部１１４が、通電通知情報、電力計測指令情報等の他の情報と共通のプロトコルに従って遮断指令情報または通電指令情報を生成して開閉器駆動装置２０５１へ送信するものであってもよい。この場合、開閉器駆動装置２０５１は、受信した遮断指令情報または通電指令情報を、適宜プロトコル変換を実行して取得するようにすればよい。
【００８４】
ここで、本変形例に係るレイアウト情報生成システムの動作について、図２４から図２６を参照しながら説明する。ここでは、例えば前述の図７のステップＳ１からＳ７の処理が実行され、端末装置２の間取り情報記憶部２３４が既に間取り情報を記憶しており、レイアウト情報生成装置２００１の電力分配情報記憶部１３１が既に分岐線識別情報を部屋識別情報に対応付けて記憶しているものとする。図２４に示すように、住居Ｈ内に配置された電気機器４が稼働している状態で（ステップＳ２００１）、端末装置２が電気機器４のレイアウト情報を生成することをレイアウト情報生成装置２００１へ指示するための操作を受け付けたとする（ステップＳ２００２）。この場合、レイアウト情報生成指令情報が、端末装置２からレイアウト情報生成装置２００１へ送信される（ステップＳ２００３）。
【００８５】
一方、レイアウト情報生成装置２００１は、端末装置２からレイアウト情報生成指令情報を受信すると、レイアウト情報を生成するために機器情報を取得する電気機器４が接続された分岐線を選択する（ステップＳ２００４）。次に、前述の遮断指令情報が、レイアウト情報生成装置２００１から分電盤２００５の開閉器駆動装置２０５１へ送信される（ステップＳ２００５）。この遮断指令情報には、選択部１１１により選択された分岐線の分岐線識別情報が含まれる。一方、開閉器駆動装置２０５１は、レイアウト情報生成装置２００１から遮断指令情報を受信すると、遮断指令情報に含まれる分岐線識別情報に基づいて、選択部１１１により選択された分岐線に介挿された開閉器を開状態にして分岐線を遮断状態にする（ステップＳ２００６）。これにより、選択部１１１により選択された分岐線により電力が供給される電気機器４が停止する（ステップＳ２００７）。
【００８６】
また、前述の遮断指令情報が開閉器駆動装置２０５１へ送信された後、選択部１１１により選択された分岐線が遮断されていることを通知する遮断通知情報が、レイアウト情報生成装置２００１から端末装置２へ送信される（ステップＳ２００８）。
【００８７】
一方、端末装置２は、レイアウト情報生成装置２００１から遮断通知情報を受信すると、選択部１１１により選択された分岐線に介挿された開閉器が開状態であることを通知する遮断メッセージ情報を表示する（ステップＳ２００９）。ここで、端末装置２のメッセージ通知部２１５は、例えば図２５（Ａ）に示すように、遮断メッセージ情報Ｍ２００１を含む「機器検出」ウインドウ画像ＰＭ４をディスプレイ２０５ａに表示させる。遮断メッセージ情報Ｍ２００１は、図２５（Ａ）の場合、「系統の電源を遮断しています。」というメッセージ情報である。ここにおいて、「機器検出」ウインドウ画像ＰＭ４に含まれる遮断される分岐線を示す分岐線アイコン（例えば分岐線アイコンＩＣ１４）は、周部が点滅しておりユーザが遮断される分岐線を視認し易くなっている。
【００８８】
図２４に戻って、続いて、電力計測指令情報が、レイアウト情報生成装置２００１から電力計測装置６へ送信される（ステップＳ２０１０）。この状態で、電力計測装置６が選択された分岐線を介して供給される電力量が計測され（ステップＳ２０１１）、計測により得られた計測値情報が電力計測装置６からレイアウト情報生成装置２００１へ送信されたとする（ステップＳ２０１２）。この場合、レイアウト情報生成装置２００１が、選択された分岐線による給電が停止していると判定し（ステップＳ２０１３）、応答要求情報が、レイアウト情報生成装置２００１から各電気機器４へ送信される（ステップＳ２０１４）。その後、レイアウト情報生成装置２００１は、応答要求情報を送信してから予め設定された基準時間経過後において応答情報を返信しない電気機器４を特定する（ステップＳ２０１５）。ここで、レイアウト情報生成装置２００１は、特定した電気機器４のＩＰアドレス情報を特定電気機器記憶部１２１に記憶させる。
【００８９】
次に、前述の通電指令情報が、レイアウト情報生成装置２００１から開閉器駆動装置２０５１へ送信される（ステップＳ２０１６）。この通電指令情報には、選択部１１１により選択された分岐線の分岐線識別情報が含まれる。一方、開閉器駆動装置２０５１は、レイアウト情報生成装置２００１から通電指令情報を受信すると、通電指令情報に含まれる分岐線識別情報に基づいて、選択部１１１により選択された分岐線に介挿された開閉器を閉状態にして分岐線を通電状態にする（ステップＳ２０１７）。これにより、選択部１１１により選択された分岐線により電力が電気機器４へ供給され、電気機器４が起動する（ステップＳ２０１８）。
【００９０】
また、前述の通電指令情報が開閉器駆動装置２０５１へ送信された後、図２６に示すように、選択部１１１により選択された分岐線により通電中であることを通知する通電通知情報が、レイアウト情報生成装置２００１から端末装置２へ送信される（ステップＳ２０１９）。
【００９１】
一方、端末装置２は、レイアウト情報生成装置２００１から通電通知情報を受信すると、選択部１１１により選択された分岐線に介挿された開閉器が閉状態であることを通知する通電メッセージ情報を表示する（ステップＳ２０２０）。ここで、端末装置２のメッセージ通知部２１５は、例えば図２５（Ｂ）に示すように、通電メッセージ情報Ｍ２００２を含む「機器検出」ウインドウ画像ＰＭ４をディスプレイ２０５ａに表示させる。通電メッセージ情報Ｍ２００１は、図２５（Ｂ）の場合、「通電を開始しています。」というメッセージ情報である。ここにおいて、「機器検出」ウインドウ画像ＰＭ４に含まれる通電を再開した分岐線を示す分岐線アイコン（例えば分岐線アイコンＩＣ１４）は、周部が点滅しておりユーザが通電を再開した分岐線を視認し易くなっている。
【００９２】
図２６に戻って、続いて、電力計測指令情報が、レイアウト情報生成装置２００１から電力計測装置６へ送信される（ステップＳ２０２１）。その後、ステップＳ２０２２からＳ２０３１までの処理が実行される。このステップＳ２０２２からＳ２０３１までの処理は、実施の形態の図１５で説明したステップＳ２４からＳ３３までの処理と同様である。
【００９３】
次に、本変形例に係るレイアウト情報生成装置２００１が実行するレイアウト情報生成処理について図２７を参照しながら説明する。なお、図２７において、実施の形態と同様の処理については、図２０および図２１と同一の符号を付している。このレイアウト情報生成処理は、実施の形態と同様に、電力分配情報記憶部１３１に分岐線識別情報が部屋情報に対応づけて記憶された状態で、端末装置２から前述のレイアウト情報生成指令情報を受信したことを契機として開始される。まず、選択部１１１は、レイアウト情報を生成するために機器情報を取得する電気機器４が接続された分岐線を選択する（ステップＳ１０１）。
【００９４】
次に、情報生成部１１４が、選択部１１１により選択された分岐線に介挿された開閉器を開状態にするよう指令する遮断指令情報を生成し、送信部１１５が、生成された遮断指令情報を分電盤２００５の開閉器駆動装置２０５１へ送信する（ステップＳ２０１）。このとき、開閉器駆動装置２０５１は、レイアウト情報生成装置２００１から遮断指令情報を受信すると、選択部１１１により選択された分岐線に介挿された開閉器を開状態にする。
【００９５】
続いて、情報生成部１１４が、選択部１１１により選択された分岐線が遮断されていることを通知する遮断通知情報を生成し、送信部１１５が、生成された遮断通知情報を端末装置２へ送信する（ステップＳ２０２）。このとき、端末装置２のメッセージ通知部２１５は、レイアウト情報生成装置２００１から遮断通知情報を受信すると、前述の遮断メッセージ情報を表示部２０５のディスプレイ２０５ａに表示させる。
【００９６】
その後、情報生成部１１４が、電力計測装置６へ選択部１１１により選択された分岐線について電力を計測するよう指令する電力計測指令情報を生成し、送信部１１５が、電力計測指令情報を電力計測装置６へ送信する（ステップＳ１０３）。電力計測装置６は、電力計測指令情報を受信すると、選択された分岐線について電力量を計測する。そして、電力計測装置６は、計測して得られた電力量の計測値を示す計測値情報をレイアウト情報生成装置２００１へ送信する。
【００９７】
その後、特定部１１２は、電力計測装置６から計測値情報を受信すると（ステップＳ１０４）、受信した計測値情報が示す電力量の計測値に基づいて、選択部１１１により選択された分岐線による給電が停止しているか否かを判定する（ステップＳ１０５）。特定部１１２により選択された分岐線による給電が停止していないと判定されると（ステップＳ１０５：Ｎｏ）、再びステップＳ１０３の処理が実行される。一方、特定部１１２により選択された分岐線による給電が停止していると判定されたとする（ステップＳ１０５：Ｙｅｓ）。この場合、情報生成部１１４が、選択部１１１により選択された分岐線に介挿された開閉器を閉状態にするよう指令する通電指令情報を生成し、送信部１１５が、生成された通電指令情報を分電盤２００５の開閉器駆動装置２０５１へ送信する（ステップＳ２０３）。このとき、開閉器駆動装置２０５１は、レイアウト情報生成装置２００１から遮断指令情報を受信すると、選択部１１１により選択された分岐線に介挿された開閉器を開状態にする。
【００９８】
続いて、情報生成部１１４が、選択部１１１により選択された分岐線により通電中であることを通知する通電通知情報を生成し、送信部１１５が、生成された通電通知情報を端末装置２へ送信する（ステップＳ２０４）。このとき、端末装置２のメッセージ通知部２１５は、レイアウト情報生成装置２００１から通電通知情報を受信すると、前述の通電メッセージ情報を表示部２０５のディスプレイ２０５ａに表示させる。
【００９９】
その後、情報生成部１１４が電力計測指令情報を生成し、送信部１１５が電力計測指令情報を電力計測装置６へ送信する（ステップＳ１１１）。次に、特定部１１２は、電力計測装置６から計測値情報を受信すると（ステップＳ１１２）、受信した計測値情報が示す電力量の計測値に基づいて、選択部１１１により選択された分岐線により給電中であるか否かを判定する（ステップＳ１１３）。特定部１１２が、選択部１１１により選択された分岐線による給電が停止していると判定すると（ステップＳ１１３：Ｎｏ）、再びステップＳ１１１の処理が実行される。一方、特定部１１２が、選択された分岐線により給電中であると判定したとする（ステップＳ１１３：Ｙｅｓ）。この場合、ステップＳ１１５以降の処理が実行される。
【０１００】
本構成によれば、分電盤２００５が、外部から受信した遮断指令情報または通電指令に基づいて開閉器ＳＷ１、ＳＷ２１〜ＳＷ２７、ＳＷ３１〜ＳＷ３５、ＳＷ４１、ＳＷ４２を駆動する開閉器駆動装置２０５１を備える。そして、開閉器制御部２１１７が、開閉器駆動装置２０５１へ遮断指令情報または通電指令情報を送信することにより、選択部１１１により選択された分岐線に介挿された開閉器の開閉状態を制御する。これにより、レイアウト情報を生成する際、ユーザが分電盤２００５の開閉器ＳＷ１、ＳＷ２１〜ＳＷ２７、ＳＷ３１〜ＳＷ３５、ＳＷ４１、ＳＷ４２を操作する必要が無いので、ユーザの作業負担が軽減される。
【０１０１】
実施の形態では、レイアウト情報生成装置１が、選択された分岐線による通電が開始された後、再度、応答要求情報を、特定した電気機器４へ送信する例について説明した。但し、これに限らず、例えば、レイアウト情報生成装置が、選択された分岐線による通電が開始された後、電気機器４から接続要求情報を受信したときに、その接続要求情報に含まれるＭＡＣアドレス情報をレイアウト情報記憶部１３２に記憶させるものであってもよい。
【０１０２】
本変形例に係るレイアウト情報生成システムでは、例えば図２８に示すように、端末装置２が選択された分岐線に介挿された開閉器を開状態から閉状態にするための操作を行うようユーザに促す第２メッセージ情報を表示する（ステップＳ２１）。なお、図２８において、実施の形態と同様の処理については、図１５と同一の符号を付している。そして、ユーザが分電盤５の開閉器を操作することにより選択された分岐線が通電状態になると、電気機器４が起動する（ステップＳ２３）。そして、電気機器４が起動すると、レイアウト情報生成装置３００１へネットワークＮＴを介した接続を要求する接続要求情報が、電気機器４からレイアウト情報生成装置３００１へ送信される（ステップＳ３００１）。この接続要求情報は、電気機器４の機器情報を含んでいる。一方、レイアウト情報生成装置３００１は、電気機器４から接続要求情報を受信すると、受信した接続要求情報に含まれる機器情報からＭＡＣアドレス情報を抽出する。そして、レイアウト情報生成装置３００１は、抽出したＭＡＣアドレス情報を、分岐線識別情報に対応づけてレイアウト情報記憶部１３２に記憶させる（ステップＳ３００２）。その後、ステップＳ３４以降の処理が実行される。
【０１０３】
ここで、本変形例に係るレイアウト情報生成装置３００１が実行するレイアウト情報生成処理について図２９を参照しながら説明する。なお、図２９において、実施の形態と同様の処理については、図２０および図２１と同一の符号を付している。このレイアウト情報生成処理は、実施の形態と同様に、電力分配情報記憶部１３１に分岐線識別情報が部屋情報に対応づけて記憶された状態で、端末装置２から前述のレイアウト情報生成指令情報を受信したことを契機として開始される。まず、ステップＳ１０１からＳ１１５までの処理が実行される。次に、登録部１１３は、予め設定された受信判定時間内に、電気機器４から接続要求情報を受信したか否かを判定する（ステップＳ３０１）。登録部１１３により電気機器４から接続要求情報を受信しなかったと判定されると（ステップＳ３０１：Ｎｏ）、後述のステップＳ１２２の処理が実行される。
【０１０４】
一方、登録部１１３は、電気機器４から接続要求情報を受信したと判定すると（ステップＳ３０１：Ｎｏ）、受信した接続要求情報から電気機器４の機器情報を抽出する（ステップＳ３０２）。続いて、登録部１１３は、機器情報から電気機器４のＭＡＣアドレス情報を抽出し、抽出したＭＡＣアドレス情報をレイアウト情報記憶部１３２に記憶させる（ステップＳ３０３）。その後、ステップＳ１２２以降の処理が実行される。
【０１０５】
本構成によれば、レイアウト情報生成装置３００１が、選択された分岐線の通電が再開された後、特定された全ての電気機器４に対して応答要求情報を送信することにより、電気機器４から応答要求情報を受信する処理を実行しない。これにより、全電気機器４のＭＡＣアドレス情報を取得するのに要する時間を短縮することができるので、住居Ｈ内に配置された全ての電気機器４のレイアウト情報の生成に要する時間を短縮することができる。
【０１０６】
実施の形態では、住居Ｈ内の各部屋Ｒ１、Ｒ２、Ｒ３、Ｒ４、Ｒ５で電力を供給する分岐線の分岐線識別情報を登録する操作と、選択された分岐線に接続された電気機器４から機器情報を取得するための操作とを、同じ「分岐系統選択・検出」ウインドウ画像ＰＭ４が表示された状態で行う例について説明した。但し、これに限らず、端末装置２が、前述の分岐線識別情報を登録する操作を行う際のウインドウ画像と、前述の電気機器４から機器情報を取得するための操作を行う際のウインドウ画像と、を別々に表示するものであってもよい。
【０１０７】
実施の形態では、レイアウト情報記憶部１３２が、各電気機器４の機器情報に含まれるＭＡＣアドレス情報を、部屋識別情報に対応づけて記憶する例について説明した。但し、レイアウト情報記憶部１３２は、各電気機器４のＭＡＣアドレス情報を記憶するものに限定されない。例えばレイアウト情報記憶部１３２が、機器情報に含まれる電気機器４の種類を識別する種類識別情報、電気機器４の型名情報または電気機器４のシリアル番号情報を、部屋識別情報に対応づけて記憶するものであってもよい。この場合、端末装置２のマーク画像記憶部２３２は、各電気機器４のマーク画像を示すマーク画像情報を、各電気機器４の種類識別情報、型名情報またはシリアル番号情報に対応づけて記憶するものとすればよい。
【０１０８】
実施の形態では、レイアウト情報生成装置１が、間取り情報記憶部１３５を備える例について説明したが、これに限らず、例えばレイアウト情報生成装置１が、間取り情報記憶部１３５を備えないものであってもよい。本構成によれば、端末装置２からレイアウト情報生成装置１への間取り情報の送信が不要となる分、端末装置２とレイアウト情報生成装置１との間の通信量を削減できる。従って、端末装置２とレイアウト情報生成装置１との間での通信が輻輳状態となることが抑制される。或いは、端末装置２が、間取り情報記憶部２３４を備えないものであってもよい。本構成によれば、端末装置２の補助記憶部２０３の記憶容量を削減することができる。
【０１０９】
実施の形態では、レイアウト情報生成装置１が端末装置２と別体である例について説明したが、これに限らず、例えば端末装置２が、レイアウト情報生成装置１の機能を全て有するものであってもよい。この場合、端末装置２は、例えば無線ＬＡＮを介して各電気機器４および電力計測装置６と通信可能とすればよい。また、レイアウト情報生成装置１が、入力部と表示部を備える場合、端末装置２の受付部２１１、表示制御部２１３、メッセージ通知部２１５および操作画面生成部２１４の機能を有するものとしてもよい。或いは、端末装置２が、レイアウト情報生成装置１の選択部１１１、特定部１１２、登録部１１３、情報生成部１１４、送信部１１５、計時部１１６およびＩＰアドレス割当て部１１７のうちの少なくとも１つの機能を有するものであってもよい。
【０１１０】
また、本発明に係るレイアウト情報生成装置１、２００１、３００１および端末装置２の各種機能は、ソフトウェア、ファームウェア、またはソフトウェアとファームウェアとの組み合わせにより実現されてもよい。この場合、ソフトウェアまたはファームウェアは、プログラムとして記述され、補助記憶部１０３に記憶される。また、本発明に係るレイアウト情報生成装置１、２００１、３００１および端末装置２の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行するレイアウト情報生成装置１、２００１、３００１および端末装置２を構成してもよい。
【０１１１】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行するレイアウト情報生成装置１、２００１、３００１および端末装置２として機能する。
【産業上の利用可能性】
【０１１２】
本発明は、住居、ビル等の建物内においてエネルギマネジメントシステムを構築する複数の電気機器のレイアウト情報の生成に好適である。
【符号の説明】
【０１１３】
１，２００１，３００１  レイアウト情報生成装置、２  端末装置、４  電気機器、５  分電盤、６  電力計測装置、７  屋外機器、１０１，２０１  ＣＰＵ、１０２，２０２  主記憶部、１０３，２０３  補助記憶部、１０６  ネットワーク通信部、１０７  端末通信部、１０９，２０９  バス、１１１  選択部、１１２  特定部、１１３  登録部、１１４  情報生成部、１１５  送信部、１１６  計時部、１１７  ＩＰアドレス割当て部、１２１  特定電気機器記憶部、１３１  電力分配情報記憶部、１３２  レイアウト情報記憶部、１３３  基準情報記憶部、１３４  ＩＰアドレス記憶部、１３５  間取り情報記憶部、２０４  入力部、２０４ａ  タッチパネル、２０５  表示部、２０５ａ  ディスプレイ、２０６  通信部、２１１  受付部、２１２  送信部、２１３  表示制御部、２１４  操作画面生成部、２１５  メッセージ通知部、２２１  入力情報記憶部、２３１  操作画面記憶部、２３２  マーク画像記憶部、２３３  メッセージ記憶部、２３４  間取り情報記憶部、２０５１  開閉器駆動装置、２１１７  開閉器制御部、Ａ１，Ａ２，Ａ３，Ａ４，Ａ５，Ａ１０  領域、ＡＣ  系統電源、Ｂ１，Ｂ２，Ｂ３，Ｂ４，Ｂ５，Ｂ６，Ｂ７，Ｂ８，Ｂ９，Ｂ１０，Ｂ１１，Ｂ１２，Ｂ１５，Ｂ１７  分岐線、ＢＵ１，ＢＵ２，ＢＵ３，ＢＵ４，ＢＵ５，ＢＵ１２，ＢＵ１３，ＢＵ１４，ＢＵ１６，ＢＵ１７  キー画像、Ｆ  指、ＧＡ１，ＧＡ２，ＧＡ３，ＧＡ４，ＧＡ５，ＧＡ６  マーク画像、ＧＡＨ  間取り画像、Ｈ  住居、Ｍ１  第１メッセージ情報、Ｍ２  第２メッセージ情報、Ｍ３  第３メッセージ情報、Ｍ４  第４メッセージ情報、Ｍ５  第５メッセージ情報、Ｍ２００１  遮断メッセージ情報、Ｍ２００２  通電メッセージ情報、ＮＴ  ネットワーク、ＰＬ１  主幹線、ＰＭ１  プルダウンメニュー画像、ＰＭ２,ＰＭ３,ＰＭ４  ウインドウ画像、ＰＲ  カレントプローブ、ＳＷ１，ＳＷ２１，ＳＷ２２，ＳＷ２３，ＳＷ２４，ＳＷ２５，ＳＷ２６，ＳＷ２７，ＳＷ３１，ＳＷ３２，ＳＷ３３，ＳＷ３４，ＳＷ３５，ＳＷ４１，ＳＷ４２  開閉器、ｔｅ１１，ｔｅ１２，ｔｅ１３，ｔｅ１４，ｔｅ１５，ｔｅ１６，ｔｅ１７，ｔｅ２１，ｔｅ２２，ｔｅ２３，ｔｅ２４，ｔｅ２５  コンセント
【図１】
2019204179.tif 000003
【図２】
2019204179.tif 000004
【図３】
2019204179.tif 000005
【図４】
2019204179.tif 000006
【図５】
2019204179.tif 000007
【図６】
2019204179.tif 000008
【図７】
2019204179.tif 000009
【図８】
2019204179.tif 000010
【図９】
2019204179.tif 000011
【図１０】
2019204179.tif 000012
【図１１】
2019204179.tif 000013
【図１２】
2019204179.tif 000014
【図１３】
2019204179.tif 000015
【図１４】
2019204179.tif 000016
【図１５】
2019204179.tif 000017
【図１６】
2019204179.tif 000018
【図１７】
2019204179.tif 000019
【図１８】
2019204179.tif 000020
【図１９】
2019204179.tif 000021
【図２０】
2019204179.tif 000022
【図２１】
2019204179.tif 000023
【図２２】
2019204179.tif 000024
【図２３】
2019204179.tif 000025
【図２４】
2019204179.tif 000026
【図２５】
2019204179.tif 000027
【図２６】
2019204179.tif 000028
【図２７】
2019204179.tif 000029
【図２８】
2019204179.tif 000030
【図２９】
2019204179.tif 000031